(57)【特許請求の範囲】
【請求項１】
装置であって、
殺菌源と、
前記殺菌源に結合された電源回路と、
寸法的に前記殺菌源を包含するように構成されたチャンバであって、寸法的に前記殺菌源を受け入れるように構成される前記チャンバのポートが、前記殺菌源と一直線であるように、前記チャンバが前記装置内に配置され、且つ、前記殺菌源及び／又は前記チャンバは、前記装置内で直線的に変位可能であり、その結果として、前記殺菌源は、前記チャンバ内に包含され、且つ前記装置のための動作のそれぞれ異なるモードに対して、前記チャンバの外に少なくとも部分的に配置される、チャンバと、
プロセッサと、
前記プロセッサによって実行可能であるプログラム命令を有する格納媒体であって、
該プログラム命令は、
前記殺菌源が前記チャンバの外に延在する場合、前記殺菌源を動作させるべく、前記電源回路を作動させること、及び、
前記殺菌源が前記チャンバ内にすっぽり包まれる場合、前記殺菌源を動作させるべく、前記電源回路を作動させること、
を目的としたものである、格納媒体と、
を備える、装置。
【請求項２】
請求項１に記載の装置であって、
前記殺菌源は殺菌ランプであり、前記装置は、
前記殺菌ランプの周りのプレナムを形成する、前記殺菌ランプの周辺にある透明障壁と、
前記プレナムの中に空気を引き込むための、前記装置内に配設された空気移動デバイスであって、前記格納媒体はプログラム命令を更に備え、
該プログラム命令は、
前記殺菌ランプが前記チャンバの外に延在する場合、前記空気移動デバイスを作動させること、及び、
前記殺菌ランプが前記チャンバ内にすっぽり包まれる場合、前記空気移動デバイスを作動させること、
を目的としたものである、空気移動デバイスと、
を更に備える、装置。
【請求項３】
請求項２に記載の装置であって、
前記殺菌ランプが前記チャンバの外に延在する場合、前記空気移動デバイスを作動させるための前記プログラム命令は、設定された速度で動作するべく前記空気移動デバイスを作動させるためのプログラム命令を備え、且つ前記殺菌ランプが前記チャンバの中にすっぽり包まれる場合、前記空気移動デバイスを作動させるためのプログラム命令は、前記設定された速度とは異なる速度で動作するべく、前記空気移動デバイスを作動させるためのプログラム命令を備える、装置。
【請求項４】
請求項２に記載の装置であって、
出口から空気を受け入れるための、前記プレナムの前記出口に近接して配設された第１及び第２の通路であって、前記第１の通路は、オゾン低減デバイスを備える、第１及び第２の通路と、
選択的に前記第１の通路を通って空気が流れるのを可能とするべく、及び選択的に前記第２の通路を通って空気が流れるのを可能とするべく、前記出口と前記第１及び第２の通路との間に配置されると共に構成される空気流量調節器であって、前記格納媒体は、前記空気流量調節器を制御するためのプログラム命令を備え、その結果として、
前記殺菌ランプが前記チャンバ内にすっぽり包まれる場合、空気は前記第１の通路を通って決まった経路で送られ、且つ、
前記殺菌ランプが前記チャンバの外に延在する場合、空気は前記第２の通路を通って決まった経路で送られる、空気流量調節器と、
を更に備える、装置。
【請求項５】
請求項１に記載の装置であって、
前記チャンバの中に空気を引き込むための、前記装置内に配設された空気移動デバイスを更に備え、前記格納媒体は、前記殺菌源が前記チャンバ内にすっぽり包まれる場合、前記空気移動デバイスを作動させるためのプログラム命令を更に備える、装置。
【請求項６】
請求項１に記載の装置であって、
前記殺菌源が前記チャンバの外に延在する場合、前記殺菌源を動作させるべく、前記電源回路を前記作動させることを目的とした前記プログラム命令は、設定された量の電力を前記殺菌源に供給するべく、前記電源回路を作動させるためのプログラム命令を備え、且つ、前記殺菌源が前記チャンバ内にすっぽり包まれる場合、前記殺菌源を動作させるための前記電源回路を前記作動させることを目的としたプログラム命令は、前記設定された量とは異なる量の電力を前記殺菌源に供給するべく、前記電源回路を作動させるためのプログラム命令を備える、装置。
【請求項７】
請求項１に記載の装置であって、
前記チャンバは、
前記殺菌源及び／又はチャンバの直線的変位に際して、前記殺菌源が包含されるかもしれない前記チャンバの内側部分にアクセスする、チャンバの外側表面に沿うドアと、
前記チャンバの前記内側部分の中に配置された１つ以上の棚及び／又はかごと、
を備える、装置。
【請求項８】
請求項１に記載の装置であって、
前記殺菌源が前記チャンバ内にすっぽり包まれるかどうかを判定するための、及び／又は前記殺菌源が前記チャンバの外に延在するかどうかを判定するためのセンサと、
電子的ユーザインターフェースであって、前記格納媒体はプログラム命令を更に備え、
該プログラム命令は、
前記装置の動作を開始させるための、前記電子的ユーザインターフェースからの入力を受け取ること、及び、
前記入力を受け取るに際して、前記殺菌源が、前記チャンバの中にすっぽり包まれるかどうか、又は前記チャンバの外に延在するかどうかを前記センサから判定すること、
を目的としたものである、電子的ユーザインターフェースと、
を更に備える、装置。
【請求項９】
請求項８に記載の装置であって、
前記格納媒体はプログラム命令を更に備え、
該プログラム命令は
前記殺菌源が前記チャンバの外に延在するように、前記殺菌源及び／又は前記チャンバを移動させるべく、訂正アクションを作動させること、及び、
前記殺菌源が前記チャンバ内に包含されるように、前記殺菌源及び／又は前記チャンバを移動させるべく、訂正アクションを作動すること、
を目的としたものである、装置。
【請求項１０】
請求項９に記載の装置であって、
前記電子的ユーザインターフェースは、前記装置によって実施される異なる消毒モードの選択を可能にする入力制御器を備え、前記異なる消毒モードは、主に前記チャンバの中の媒質を消毒するための第１の消毒モード、及び主に前記装置の外部の媒質を消毒するための第２の消毒モードを備え、前記電子的ユーザインターフェースからの入力を受け取るためのプログラム命令は、選択された消毒モードに関する入力を受け取ることを備え、
前記殺菌源が前記チャンバの外に延在するように位置調整されるべき前記殺菌源及び／又は前記チャンバに対する前記訂正アクションを前記作動させることを目的とした前記プログラム命令は、前記第２の消毒モードの入力を受け取るに際して、及び前記殺菌源が前記チャンバの中にすっぽり包まれることを判定するに際して、実施され、
前記殺菌源が前記チャンバの外に延在する場合、前記殺菌源を動作させるべく、前記電源回路を前記作動させることを目的とした前記プログラム命令は、前記第２の消毒モードの入力を受け取るに際して、及び前記殺菌源が前記チャンバの中にすっぽり包まれないことを判定するに際して、実施され、
前記殺菌源が前記チャンバの中に包含されるように位置調整されるべき前記殺菌源及び／又はチャンバに対する前記訂正アクションを前記作動させることを目的とした前記プログラム命令は、前記第１の消毒モードの入力を受け取るに際して、及び前記殺菌源が前記チャンバの中にすっぽり包まれることを判定するに際して、実施され、且つ、
前記殺菌源が前記チャンバ内にすっぽり包まれる場合、前記殺菌源を動作させるべく、前記電源回路を前記作動させることを目的とした前記プログラム命令は、前記第１の消毒モードの入力を受け取るに際して、及び前記殺菌源が前記チャンバの中にすっぽり包まれることを判定するに際して、実施される、装置。
【請求項１１】
請求項９に記載の装置であって、
前記装置の周囲内での移動及び／又は占有を検出するための付加的なセンサと、
前記殺菌源又は前記チャンバに結合された線形アクチュエータであって、前記装置内で位置調節されるべき前記殺菌源及び／又は前記チャンバに対する前記訂正アクションを作動させるための前記プログラム命令は、前記線形アクチュエータを作動させることを備える、線形アクチュエータと、
を更に備え、
前記格納媒体はプログラム命令を更に備え、
該プログラム命令は、
前記殺菌源が前記チャンバの外に延在する場合に動作するべく、前記付加的なセンサを作動させることであって、しかし前記殺菌源が前記チャンバの外に延在する場合に、前記殺菌源を動作させるべく前記電源回路を前記作動させることの前に、前記付加的なセンサを作動させること、
前記殺菌源が前記チャンバの外に延在する場合、前記殺菌源を動作させるべく前記電源回路を前記作動させることの前に、前記付加的なセンサが移動及び／又は占有を検出するに際して、前記殺菌源を動作させるべく前記電源回路の作動を禁止すること、及び、
前記殺菌源が前記チャンバの外に延在する場合、前記殺菌源を動作させるべく前記電源回路を前記作動させることに続いて、前記付加的なセンサが移動及び／又は占有を検出するに際して、前記殺菌源の動作を終結させること、
を目的としたものであり、
前記殺菌源が前記チャンバの中に包含されるように、前記殺菌源及び／又は前記チャンバを位置調節するための前記線形アクチュエータを前記作動させることを目的とした前記プログラム命令、及び、前記殺菌源が前記チャンバの中にすっぽり包まれる場合、前記殺菌源を動作させるための前記電源回路を前記作動させることを目的とした前記プログラム命令は、前記殺菌源の作動を前記禁止することに際して、又は前記殺菌源の動作を前記終結させることに際して、実施される、装置。
【請求項１２】
請求項１に記載の装置であって、
前記殺菌源は殺菌ランプである、装置。
【請求項１３】
請求項１に記載の装置であって、
前記殺菌源は、殺菌性プラズマ、殺菌性蒸気、殺菌性液体、及び／又は殺菌性気体の供給源である、装置。
【請求項１４】
装置であって、
複数の殺菌源と、
前記複数の殺菌源に結合された電源回路と、
遮蔽体であって、前記遮蔽体及び／又は、前記複数の殺菌源の少なくとも１つは、前記装置内で移動可能であり、且つ前記装置は、前記複数の殺菌源及び前記遮蔽体が、集団的に、
前記複数の殺菌源の１つ以上から発射された前記殺菌剤が実質的に前記装置の中に包含されるように、互いに対して近接した状態にある、又は、
前記複数の殺菌源の１つ以上から発射された前記殺菌剤が前記装置の外に発射されるように、互いに対して近接から外れた状態にある、
のいずれかであるように構成される、遮蔽体と、
前記複数の殺菌源及び前記遮蔽体が、互いに対して前記近接した状態、及び／又は互いに対して前記近接から外れた状態にある場合、検出するためのセンサと、
前記装置によって実施される異なる消毒モードの選択を可能にする入力制御器を備える電子的ユーザインターフェースであって、前記異なる消毒モードは、主に装置の内部の媒質を消毒するための第１の消毒モード、及び主に装置の外部の媒質を消毒するための第２の消毒モードを備える、電子的ユーザインターフェースと、
プロセッサと、
前記プロセッサによって実行可能であるプログラム命令を有する格納媒体であって、
該プログラム命令は、
選択された消毒モードに関する、前記電子的ユーザインターフェースからの入力を受け取ること、
前記第１の消毒モードの入力を受け取るに際して、
前記遮蔽体及び前記複数の殺菌源が、互いに対して前記近接した状態にあるかどうか、又は互いに対して前記近接から外れた状態にあるかどうかを、前記センサから判定すること、
前記遮蔽体及び前記複数の殺菌源が、互いに対して前記近接していない状態にあることを判定するに際して、互いに対して前記近接した状態に移動されるべき、前記複数の殺菌源及び／又は前記遮蔽体の少なくとも１つに対する訂正アクションを作動させること、
前記遮蔽体及び複数の殺菌源が、互いに対して前記近接した状態にあることを判定するに際して、前記複数の殺菌源の第１のサブセットを選択的に動作させるべく、前記電源回路を作動させること、及び、
前記第２の消毒モードの入力を受け取るに際して、
前記遮蔽体及び前記複数の殺菌源が、互いに対して前記近接した状態にあるかどうか、又は互いに対して前記近接から外れた状態にあるかどうかを、前記センサから判定すること、
前記遮蔽体及び前記複数の殺菌源が、互いに対して前記近接した状態にあることを判定するに際して、互いに対して前記近接から外れた状態に移動されるべき、前記複数の殺菌源又は前記遮蔽体の少なくとも１つに対する訂正アクションを作動させること、及び、
前記遮蔽体及び前記複数の殺菌源が、互いに対して前記近接から外れた状態にあることを判定するに際して、複数の殺菌源の前記第１のサブセットとは異なる、複数の殺菌源の第２のサブセットを選択的に動作させるべく、前記電源回路を作動させること、
を目的としたものである、格納媒体と、
を備える、装置。
【請求項１５】
装置であって、
複数の殺菌源と、
前記複数の殺菌源に結合された電源回路と、
前記複数の殺菌源をすっぽり包むのに十分なチャンバを形成するための、前記装置の特徴を伴って構成される遮蔽体であって、前記遮蔽体及び／又は前記複数の殺菌源の少なくとも１つは、前記装置内で移動可能であり、且つ前記装置は、
前記複数の殺菌源が、前記装置の動作中に、前記チャンバ内にすっぽり包まれるように、及び、
前記複数の殺菌源の少なくとも１つが、前記装置の動作中に、前記チャンバの外に配置される、又は、
前記チャンバが、前記遮蔽体の移動によって分解され、且つ前記複数の殺菌源が、前記装置の動作中に、前記装置の周囲に晒される、
のいずれかが起こるように、構成される、遮蔽体と、
前記複数の殺菌源が前記チャンバの中にすっぽり包まれるがどうか、及び／又は前記複数の殺菌源が前記チャンバの中にすっぽり包まれないかどうかを検出するためのセンサと、
電子的ユーザインターフェースと、
プロセッサと、
前記プロセッサによって実行可能であるプログラム命令を有する格納媒体であって、
該プログラム命令は、
前記装置の動作を開始するための、前記ユーザインターフェースからの入力を受け取ること、
前記入力を受け取るに際して、前記複数の殺菌源が、前記チャンバの中にすっぽり包まれるかどうか、又は前記チャンバの中にすっぽり包まれないかどうかを、前記センサから判定すること、
前記複数の殺菌源が前記チャンバ内にすっぽり包まれるという入力を受け取るに際して、前記複数の殺菌源のサブセットを選択的に動作させるために、前記電源回路を作動させること、
前記複数の殺菌源が、前記チャンバ内にすっぽり包まれないという入力を受け取るに際して、前記複数の殺菌源の異なるサブセットを選択的に動作させるために、前記電源回路を作動させること、
を目的としたものである、格納媒体と、
を備える装置。
【請求項１６】
請求項１４又は１５に記載の装置であって、
前記複数の殺菌源の前記第１のサブセットは、前記第２のサブセットの前記殺菌源の少なくとも１つとは異なる方法で、自身の殺菌剤を発生させる、少なくとも１つの殺菌源を備える、装置。
【請求項１７】
請求項１４又は１５に記載の装置であって、
前記複数の殺菌源の前記第１のサブセットは、１つ以上の発光ダイオードランプを備え、且つ前記複数の殺菌源の前記第２のサブセットは、１つ以上の放電ランプを備える、装置。
【請求項１８】
請求項１４又は１５に記載の装置であって、
前記第１のサブセットの各殺菌源は、前記第２のサブセットの殺菌源の全てと異なる方法で、自身の殺菌剤を発生させる、装置。
【請求項１９】
請求項１４又は１５に記載の装置であって、
前記第１のサブセット又は前記第２のサブセットの各殺菌源は、同じ方法で自身の殺菌剤を発生させる、装置。
【請求項２０】
請求項１４又は１５に記載の装置であって、
前記複数の殺菌源の前記第１及び前記第２のサブセットは殺菌ランプを備え、且つ前記第１のサブセットの少なくとも１つの前記殺菌ランプは、前記第２のサブセットの前記殺菌ランプの少なくとも１つとは異なる光学特性を生じさせる、装置。
【請求項２１】
請求項１４又は１５に記載の装置であって、
前記複数の殺菌源の周りのプレナムを形成する、前記複数の殺菌源の周辺にある透明障壁と、
前記プレナムの中に空気を引き込むための、前記装置内に配設された空気移動デバイスと、
を更に備える、装置。
【請求項２２】
装置であって、
殺菌源と、
前記殺菌源に結合された電源回路と、
遮蔽体であって、前記遮蔽体及び／又は前記殺菌源は、互いに対して移動可能であり、且つ前記装置は、
前記遮蔽体及び／又は前記殺菌源は、前記殺菌源から発射される殺菌剤が、前記装置の内側空洞内に実質的に包含されるように、互いに対して近接した状態になるように、及び、
前記遮蔽体及び／又は前記殺菌源は、前記殺菌源から発射される殺菌剤が、前記装置の周囲に発射されるように、互いに対して近接から外れた状態になるように、
構成される、遮蔽体と、
前記殺菌源及び前記遮蔽体が互いに対して前記近接した状態にあるかどうかを検出するための、及び／又は前記殺菌源及び前記遮蔽体が互いに対して前記近接から外れた状態にあるかどうかを検出するためのセンサと、
前記装置によって実施される異なる消毒モードの選択を可能にする入力制御器を備える電子的ユーザインターフェースであって、前記異なる消毒モードは、主に前記装置の内部の媒質を消毒するための第１の消毒モード、及び主に前記装置の外部の媒質を消毒するための第２の消毒モードを備える、電子的ユーザインターフェースと、
プロセッサと、
前記プロセッサによって実行可能であるプログラム命令を有する格納媒体であって、
該プログラム命令は、
選択された消毒モードに関する、前記電子的ユーザインターフェースからの入力を受け取ること、
前記第１の消毒モードの入力を受け取るに際して、
前記遮蔽体及び前記殺菌源が、互いに対して前記近接した状態にあるかどうか、又は互いに対して前記近接から外れた状態にあるかどうかを判定すること、
前記遮蔽体及び前記殺菌源が、互いに対して前記近接から外れた状態にあることを判定するに際して、互いに対して前記近接した状態に移動されるべき、前記殺菌源及び／又は前記遮蔽体に対して訂正アクションを作動させること、及び、
前記遮蔽体及び前記殺菌源が、互いに対して前記近接した状態にあることを判定するに際して、前記装置に対する所定の第１のセットの動作パラメータに従って、前記電源回路を作動させること、及び、
前記第２の消毒モードの入力を受け取るに際して、
前記遮蔽体及び前記殺菌源が、互いに対して前記近接した状態にあるかどうか、又は互いに対して前記近接から外れた状態にあるかどうかを判定すること、
前記遮蔽体及び前記殺菌源が、互いに対して前記近接した状態にあることを判定するに際して、互いに対して前記近接から外れた状態に移動されるべき前記殺菌源及び／又は前記遮蔽体に対して訂正アクションを作動させること、及び、
前記遮蔽体及び前記殺菌源が、互いに対して前記近接から外れた状態にあることを判定するに際して、前記第１のセットの動作パラメータとは異なる、前記装置に対する所定の第２セットの動作パラメータに従って、前記電源回路を作動させることであって、前記所定の第１及び第２セットの動作パラメータは、前記殺菌源を動作させるための、前記電源回路から供給される異なる量の電力を備える、前記電源回路を作動させること、
を目的としたものである、格納媒体と、
を備える、装置。
【請求項２３】
請求項２２に記載の装置であって、
前記所定の第１セットの動作パラメータは、前記殺菌源を動作させるための、前記所定の第２セットの動作パラメータよりも低い量の電力を備える、装置。
【請求項２４】
請求項２２に記載の装置であって、
前記殺菌源及び前記遮蔽体が、互いに対して近接した状態にある場合、前記内側空洞の中に空気を引き込むための空気移動デバイスを更に備える、装置。
【請求項２５】
請求項２４に記載の装置であって、
前記所定の第１及び第２セットの動作パラメータは、前記空気移動デバイスを動作させるための、異なる速度を備える、装置。
【請求項２６】
請求項２５に記載の装置であって、
前記所定の第１セットの動作パラメータは、前記空気移動デバイスを動作させるための、前記所定の第２セットの動作パラメータよりも高い速度を備える、装置。
【請求項２７】
請求項２４に記載の装置であって、
前記格納媒体は、前記第２の消毒モードの入力を受け取るに際して、前記空気移動デバイスを作動させるためのプログラム命令が無い、装置。
【請求項２８】
請求項２２に記載の装置であって、
前記殺菌源は、
殺菌ランプと、
前記殺菌ランプの周りのプレナムを形成する、前記殺菌ランプの周囲にある透明障壁と、
前記プレナムに空気を引き込むための空気移動デバイスと、
を備える、装置。
【請求項２９】
請求項２２に記載の装置であって、
前記装置の周囲内での移動及び／又は占有を検出するための付加的なセンサと、
前記殺菌源又は前記遮蔽体に結合されたアクチュエータであって、移動されるべき前記殺菌源及び／又は前記遮蔽体に対して前記訂正アクションを作動させるためのプログラム命令は、前記アクチュエータを作動させることを備える、アクチュエータと、
を更に備え、
前記格納媒体はプログラム命令を更に備え、
該プログラム命令は、
前記第１の消毒モードの入力を受け取るに際して、動作するべき前記付加的なセンサを作動させること、及び、
前記付加的なセンサが、予め設定された持続期間中に移動及び／又は占有を検出しないことに際して、前記殺菌源又は前記遮蔽体を互いに対して前記近接から外れた状態へ移動させるべく、前記アクチュエータを作動させること、
を目的としたものである、装置。
【請求項３０】
請求項２２に記載の装置であって、
前記殺菌源は、前記電源回路に結合された前記装置の複数の殺菌源の１つであり、且つ前記格納媒体はプログラム命令を備え、
該プログラム命令は、
前記第１の消毒モードの入力を受け取るに際して、及び前記遮蔽体及び前記殺菌源が、互いに対して近接した状態にあることを判定するに際して、前記複数の殺菌源のサブセットを選択的に動作させるべく、前記電源回路を作動させること、及び
前記第２の消毒モードの入力を受け取るに際して、及び前記遮蔽体及び前記殺菌源が、互いに対して近接していない状態にあることを判定するに際して、前記複数の殺菌源の異なるサブセットを選択的に動作させるべく、前記電源回路を作動させること、
を目的としたものである、装置。
【請求項３１】
請求項２２に記載の装置であって、
前記殺菌源は殺菌ランプである、装置。
【請求項３２】
請求項２２に記載の装置であって、
前記殺菌源は、殺菌性プラズマ、殺菌性蒸気、殺菌性液体、及び／又は殺菌性気体の供給源である、装置。
【請求項３３】
請求項２４に記載の装置であって、
前記遮蔽体はチャンバであり、且つ前記チャンバは、
前記殺菌源が、寸法的に自身を通過するように構成されたポートと、
前記ポートと前記空気移動デバイス及び／又は前記チャンバの空気入口との間に延在するプレナムと、
を備える、装置。
【請求項３４】
請求項３３に記載の沿装置であって、
前記殺菌源は殺菌ランプであり、且つ前記プレナムは、前記殺菌ランプから発射される殺菌光に対して透明である側壁を備える、装置。
【請求項３５】
請求項２８に記載の装置であって、
前記殺菌ランプは紫外ランプであり、且つ前記装置は、
前記プレナムから空気を排出するための第１及び第２の空気出口であって、前記第１の空気出口は、オゾン低減デバイスを備える、第１及び第２の空気出口と、
前記第１の空気出口を通って選択的に空気が流れることを可能にするように、且つ前記第２の空気出口を通って選択的に空気が流れることを可能にするように、配置され且つ構成された空気流量調節器であって、前記格納媒体は、
前記電源回路が、前記所定の第１セットの動作パラメータに従って作動される場合、空気は前記第１の空気出口を通って、決まった経路で送られるように、及び、
前記電源回路が、前記所定の第２セットの動作パラメータに従って作動される場合、空気は前記第２の空気出口を通って、決まった経路で送られるように、
前記空気流量調節器を制御するためのプログラム命令を備える、空気流量調節器と、
を更に備える、装置。
【請求項３６】
請求項２２に記載の装置であって、
前記所定の第１及び第２のセットの動作パラメータは、前記殺菌源を動作させるための、異なる持続期間を備える、装置。
【請求項３７】
請求項２２に記載の装置であって、
前記殺菌源はパルス化された殺菌源であり、且つ前記所定の第１及び第２セットの動作パラメータは、前記殺菌源のパルス動作に対して異なる周波数を備える、装置。
【請求項３８】
請求項２２に記載の装置であって、
前記第１の消毒モードは、主に前記内側空洞の内部の空気を消毒するための第１サブセットの消毒モード、及び主に前記内側空洞の内部の１つ以上の物体を消毒するための第２サブセットの消毒モードを備える、装置。
【請求項３９】
請求項２２に記載の装置であって、
前記装置の周囲内での移動及び／又は占有を検出するための付加的なセンサと、
前記殺菌源又は前記遮蔽体に結合されたアクチュエータであって、移動されるべき前記殺菌源及び／又は前記遮蔽体に対して前記訂正アクションを作動させるための前記プログラム命令は、前記アクチュエータを作動させることを備える、アクチュエータと、
を更に備え、
前記格納媒体はプログラム命令を更に備え、
該プログラム命令は、
前記所定の第２セットの動作パラメータに従って、前記電源回路を作動させる前に動作するべく、付加的なセンサを作動させること、
前記所定の第２セットの動作パラメータに従って、前記電源回路を前記作動させることの前に、前記付加的なセンサが移動及び／又は占有を検出するに際して、前記電源回路の作動を禁止すること、
前記所定の第２セットの動作パラメータに従って、前記電源回路を前記作動させることに続いて、前記付加的なセンサが移動及び／又は占有を検出するに際して、前記殺菌源の動作を終結させること、
前記電源回路の作動を前記禁止すること、又は前記殺菌源の動作を終結させることに際して、前記遮蔽体及び前記殺菌源が、互いに対して前記近接した状態にあるように、前記アクチュエータを作動させること、及び、
前記殺菌源を動作させるべく、続いて前記電源回路を作動させるたこと、
を目的としたものである、装置。
【請求項４０】
請求項２２に記載の装置であって、
前記遮蔽体は、チャンバであるか、又は、前記遮蔽体及び前記殺菌源が、互いに対して前記近接した状態にある場合、前記装置の前記内側空洞内に前記殺菌源をすっぽり包むのに十分なチャンバを形成するべく、前記装置の特徴を伴って構成され、且つ前記チャンバは、
前記内側空洞にアクセスする入力ポートと、
前記入力ポートを開閉するためのドアと、
前記チャンバの１つ以上の内側壁に沿って、及び／又は前記ドアの内側部分に沿って配置された１つ以上の棚及び／又はかごと、
を備える、装置。
【請求項４１】
請求項２２に記載の装置であって、
前記遮蔽体は、熱遮蔽体及び／又は熱シンクを備える、装置。
【請求項４２】
請求項２２に記載の装置であって、
前記遮蔽体は、チャンバであるか、又は、前記遮蔽体及び前記殺菌源が、互いに対して前記近接した状態にある場合、前記殺菌源をすっぽり包むのに十分なチャンバを形成するべく、前記装置の特徴を伴って構成され、且つ前記装置は、前記チャンバ内に、及び／又は前記チャンバの空気入口に近接して、冷却デバイス及び／又は除湿器を更に備える、装置。
【請求項４３】
請求項２２に記載の装置であって、
前記殺菌源を取り囲むハウジングを更に備え、前記遮蔽体は、寸法的に前記殺菌源及び前記ハウジングを受け入れるように構成されたポートを備えるチャンバであり、且つ前記ハウジング又は前記ポートは、密閉機構を備える、装置。
【請求項４４】
請求項２８に記載の装置であって、
前記所定の第１及び第２セットの動作パラメータは、前記空気移動デバイスを動作させるための、異なる速度を備える、装置。
【請求項４５】
請求項４４に記載の装置であって、
前記所定の第１及び第２セットの動作パラメータは、前記空気移動デバイスを動作させるための、前記所定の第２セットの動作パラメータよりも高い速度を備える、装置。
【請求項４６】
請求項２８に記載の装置であって、
前記第１の消毒モードは、主に前記プレナム内部の空気を消毒するための第１サブセットの消毒モード、及び主に前記内側空洞内部の１つ以上の物体を消毒するための第２サブセットの消毒モードを備える、装置。
【請求項４７】
装置であって、
殺菌源と、
前記殺菌源に結合された電源回路と、
遮蔽体であって、前記遮蔽体及び／又は前記殺菌源は、互いに対して移動可能であり、且つ前記装置は、
前記遮蔽体及び／又は前記殺菌源は、前記殺菌源から発射された殺菌剤が、前記装置の内側空洞内に実質的に包含されるべく、互いに対して近接した状態になるように、及び、
前記遮蔽体及び／又は前記殺菌源は、前記殺菌源から発射された殺菌剤が、前記装置の周囲に発射されるべく、互いに対して近接から外れた状態になるように、
構成される、遮蔽体と、
前記殺菌源及び前記遮蔽体が、互いに対して前記近接した状態にあるかどうかを検出するための、及び／又は前記殺菌源及び遮蔽体が、互いに対して近接から外れた状態にあるかどうかを検出するためのセンサと、
前記装置によって実施される異なる消毒モードの選択を可能にする入力制御器を備える電子的ユーザインターフェースであって、前記異なる消毒モードは、主に前記装置の内部の媒質を消毒するための第１の消毒モード、及び主に前記装置の外部の媒質を消毒するための第２の消毒モードを備える、電子的ユーザインターフェースと、
前記装置の周囲内での移動及び／又は占有を検出するための付加的なセンサと、
前記殺菌源又は前記遮蔽体に結合されたアクチュエータと、
プロセッサと、
前記プロセッサによって実行可能であるプログラム命令を有する格納媒体であって、
該プログラム命令は、
選択された消毒モードに関する、前記電子的ユーザインターフェースからの入力を受け取ること、
前記第１の消毒モードの入力を受け取るに際して、前記遮蔽体及び前記殺菌源が、互いに対して前記近接した状態にあるかどうか、又は互いに対して前記近接から外れた状態にあるかどうかを判定すること、
前記遮蔽体及び前記殺菌源が、互いに対して前記近接から外れた状態にあることを判定するに際して、前記殺菌源及び／又は前記遮蔽体を互いに対して前記近接した状態に移動させるべく、前記アクチュエータを作動させること、
前記遮蔽体及び前記殺菌源が、互いに対して前記近接した状態にあることを判定するに際して、又は、前記殺菌源及び／又は前記遮蔽体を互いに対して前記近接した状態に移動させるべく、前記アクチュエータが作動されるのに続いて、
前記装置に対する所定の第１セットの動作パラメータに従って、前記電源回路を作動させること、
前記付加的なセンサを作動させること、及び、
前記付加的なセンサが、予め設定された持続期間中に移動及び／又は占有を検出しないことに際して、前記殺菌源又は前記遮蔽体を互いに対して前記近接から外れた状態に移動させるべく、前記アクチュエータを作動させること、及び、
前記第２の消毒モードの入力を受け取るに際して、前記遮蔽体及び前記殺菌源が、互いに対して前記近接した状態にあるかどうか、又は前記近接から外れた状態にあるかどうかを判定すること、
前記遮蔽体及び前記殺菌源が、互いに対して前記近接した状態にあることを判定するに際して、前記殺菌源及び／又は前記遮蔽体を、互いに対して前記近接から外れた状態へ移動させるべく、前記アクチュエータを作動させること、及び、
前記遮蔽体及び前記殺菌源が、互いに対して前記近接から外れた状態にあることを判定するに際して、又は前記殺菌源及び／又は前記遮蔽体を、互いに対して前記近接から外れた状態へ移動させるべく、前記アクチュエータが作動されることに続いて、前記装置に対する所定の第２セットの動作パラメータに従って、前記電源回路を作動させること、
を目的としたものである、格納媒体と、
を備える、装置。
【請求項４８】
請求項４７に記載の装置であって、
前記格納媒体はプログラム命令を更に備え、
該プログラム命令は、
前記第２の消毒モードの入力を受け取ることに続いて、且つ前記所定の第２セットの動作パラメータに従って前記電源回路を作動させることの前に、前記付加的なセンサを作動させること、
前記所定の第２セットの動作パラメータに従って前記電源回路を前記作動させることの前に、前記付加的なセンサが移動及び／又は占有を検出するに際して、前記電源回路の作動を禁止すること、
前記所定の第２セットの動作パラメータに従って前記電源回路を前記作動させることに続いて、前記付加的なセンサが移動及び／又は占有を検出するに際して、前記殺菌源の動作を終結させること、
前記電源回路の作動を前記禁止すること、又は前記殺菌源の動作を前記終結させることに際して、前記遮蔽体及び前記殺菌源が、互いに対して前記近接した状態にあるように、前記アクチュエータを作動させること、及び、
前記殺菌源を動作させるべく、続いて前記電源回路を動作させること、
を目的としたものである、装置。
【請求項４９】
請求項４７に記載の装置であって、
前記所定の第１セットの動作パラメータは、前記第２セットの動作パラメータと異なる、装置。
【請求項５０】
装置であって、
殺菌源と、
前記殺菌源に結合された電源回路と、
遮蔽体であって、前記遮蔽体及び／又は前記殺菌源は、互いに対して移動可能であり、且つ前記装置は、
前記遮蔽体及び／又は前記殺菌源は、前記殺菌源から発射された殺菌剤が、前記装置の内側空洞内に実質的に包含されるべく、互いに対して近接した状態になるように、及び、
前記遮蔽体及び／又は前記殺菌源は、前記殺菌源から発射された殺菌剤が、前記装置の周囲に発射されるべく、互いに対して近接から外れた状態になるように、
構成される、遮蔽体と、
前記殺菌源及び前記遮蔽体が、互いに対して前記近接した状態にあるかどうかを検出するための、及び／又は前記殺菌源及び遮蔽体が、互いに対して近接から外れた状態にあるかどうかを検出するためのセンサと、
前記装置によって実施される異なる消毒モードの選択を可能にする入力制御器を備える電子的ユーザインターフェースであって、前記異なる消毒モードは、
主に前記装置の内部の空気を消毒するための第１の消毒モードと、
主に前記装置の内部の物体を消毒するための第２の消毒モードと、
主に前記装置の外部の表面を消毒するための第３の消毒モードと、
を備える、電子的ユーザインターフェースと、
プロセッサと、
前記プロセッサによって実行可能であるプログラム命令を有する格納媒体であって
該プログラム命令は、
選択された消毒モードに関する、前記電子的ユーザインターフェースからの入力を受け取ること、
前記第１の消毒モード又は前記第２の消毒モードの入力を受け取るに際して、
前記遮蔽体及び前記殺菌源が、互いに対して前記近接した状態にあるかどうか、又は前記近接から外れた状態にあるかどうかを判定すること、
前記遮蔽体及び前記殺菌源が、互いに対して前記近接から外れた状態にあることを判定するに際して、互いに対して前記近接した状態に移動されるべき、前記殺菌源及び／又は前記遮蔽体に対して訂正アクションを作動させること、及び、
前記遮蔽体及び前記殺菌源が、互いに対して前記近接した状態にあることを判定するに際して、
もし受け取られた入力が前記第１の消毒モードに対するものである場合、所定の第１セットの動作パラメータに従って、前記電源回路を作動させること、
もし前記受け取られた入力が前記第２の消毒モードに対するものである場合、前記装置に対する所定の第２セットの動作パラメータに従って、前記電源回路を作動させることであって、前記所定の第２セットの動作パラメータは、前記所定の第１セットの動作パラメータと異なる、前記電源回路を作動させること、及び、
前記第３の消毒モードの入力を受け取るに際して、
前記遮蔽体及び前記殺菌源が、互いに対して前記近接した状態にあるかどうか、又は前記近接から外れた状態にあるかどうかを判定すること、
前記遮蔽体及び前記殺菌源が、互いに対して前記近接した状態にあることを判定するに際して、互いに対して前記近接から外れた状態に移動されるべき前記殺菌源及び／又は前記遮蔽体に対して訂正アクションを作動させること、及び、
前記遮蔽体及び前記殺菌源が、互いに対して前記近接から外れた状態にあることを判定するに際して、所定の第３セットの動作パラメータに従って、前記電源回路を作動させることであって、前記所定の第３セットの動作パラメータは、前記所定の第１及び第２セットの動作パラメータとは異なる、前記電源回路を作動させること、
を目的としたものである、格納媒体と、
を備える、装置。
【請求項５１】
請求項５０に記載の装置であって、
前記所定の第１、第２及び第３セットの動作パラメータは、前記殺菌源を動作させるための、前記電源回路から供給される異なる量の電力を備える、装置。
【請求項５２】
請求項５０に記載の装置であって、
前記殺菌源及び遮蔽体が、互いに対して近接した状態にある場合、前記内側空洞の中に空気を引き込むための空気移動デバイスを更に備え、前記所定の第１、第２、及び第３セットの動作パラメータは、前記空気移動デバイスを動作させるための、異なる速度を備える、装置。
【請求項５３】
請求項５０に記載の装置であって、
前記所定の第１、第２、及び第３セットの動作パラメータは、前記殺菌源を動作させるための、異なる持続期間を備える、装置。
【請求項５４】
請求項５０に記載の装置であって、
前記殺菌源はパルス化された殺菌源であり、且つ前記所定の第１、第２、及び第３セットの動作パラメータは、前記殺菌源のパルス動作に対して、異なる周波数を備える、装置。
【請求項５５】
請求項５０に記載の装置であって、
前記遮蔽体は、１つ以上の棚及び／又はかごを備える、装置。
【発明の詳細な説明】
【技術分野】
【０００１】
この発明は、一般に殺菌デバイスに関し、且つ、より具体的には、装置の内部及び外部で異なる消毒モードを選択的に実施するための構成を有する殺菌装置に関する。
【背景技術】
【０００２】
以下の説明及び例は、この節の中にそれらが含まれることによって、先行技術であるとは認められない。
【０００３】
病原性微生物が占有された部屋又はエリアの中に存在する場合、感染症を引き起こすことが示されているため、部屋及びエリアの中の空気及び表面の消毒は、ますます重要になっている。抗菌耐性生物がより一般的になっていると共に、それを扱うことがますます困難になっているため、部屋及びエリアの中の空気及び表面の消毒は特に重要である。一般に、エリア／部屋における消毒プロセスの目的は、エリア／部屋の中の空気中の、及び／又は部屋及びエリアの表面上の病原性微生物の数を、人間の健康にとってほとんど有害でないレベルまで低減させることである。部屋又はエリアの占有者に対して、殺菌剤及び／又は散布剤を晒すことを制限する又は防止するために、エリア／部屋の消毒は、通常、訓練された清掃職員によるか、又は、以前の占有者が部屋を引き払った後、殺菌剤を部屋の周囲に分散させる自動化された装置によって実施される。処理される表面の数を最大化しつつ、処理時間を最小化するため、自動化された装置は、一般に、部屋又はエリアの周囲に殺菌剤を広範囲に分布させるように構成される。例えば、自動化されたエリア／部屋の消毒デバイスには、デバイスの周り３６０度にわたって、殺菌剤を分布させるように構成されたものもある。加えて、多くの自動化されたエリア／部屋の消毒デバイスは、デバイスから１メートル以上、又は更に２メートル若しくは３メートル以上ある部屋又はエリア内での表面上の細菌汚染において、２ログから４ログの間での低減を達成するべく、有効な量の殺菌剤を分布させるように構成される。任意の場合において、エリア又は部屋の中で表面を消毒することに加えて、自動化されたエリア／部屋の消毒デバイスは、デバイスから表面へ殺菌剤を分散させることによって、本来的にエリア又は部屋の中の空気の一部を消毒する。
【０００４】
上で述べたように、自動化されたエリア／部屋の消毒デバイスは、個人に対して殺菌剤を晒すことを制限する又は防止するために、引き払ったエリア／部屋の中で使用されることが多い。しかしながら、殺菌剤に個人を晒すことなく、占有された部屋の中で消毒プロセスを実施するこが、多くの場合望ましい。例えば、占有されたエリア及び部屋の中で使用してもよい、自動化された消毒デバイス及びシステムには、デバイス及びシステムの外部に殺菌剤を晒すことなく部屋中の空気を消毒すると共に、循環させるように構成される装置及びシステムが挙げられる。例えば、幾つかのＨＶＡＣシステムは、部屋の中に導入される前に空気を消毒するために、その内部に紫外光源を有する。更に、個々の部屋については、スタンドアロンの空気消毒ユニットが知られている。その上、デバイスの外部に殺菌剤を晒すことなく、小さな物体を消毒するために、スタンドアロン閉鎖システムのデバイスが存在する。外部に殺菌剤を晒すのを禁止することに加えて、多くの空気及び物体の消毒デバイス及びシステムは、空気／物体が処理される効率を最適化するように構成され、具体的には、殺菌剤が移動する距離を制限して、その距離を通って流れる空気流、又は装置の内部に置かれた物体を消毒する。そのような目的が、上に定められたような、たいていのエリア／部屋の消毒デバイスの目的に反するとすれば、エリア又は部屋が占有されていない場合、及び、エリア又は部屋が占有されている場合に、表面及び空気の消毒プロセスが望まれる場合において全てのタイプの消毒デバイス／システム（即ち、エリア／部屋の消毒デバイス、内蔵の空気消毒デバイス又はシステム、及び閉鎖システムの物体消毒デバイス）が一般に必要とされる。
【０００５】
従って、エリア又は部屋が占有されている場合、及びエリア又は部屋が占有されていない場合、消毒プロセスのために使用可能であるデバイス及び／又はシステムを開発することは、有益である。そのようなデバイス及び／又はシステムにおいて、異なる消毒モードの効力を最適化する構成を含むことは、更に有益である。
【発明の概要】
【０００６】
装置の様々な実施形態に関する以下の説明は、添付された請求項の主題を制限するような方法において、解釈されるべきではない。
【０００７】
装置の実施形態は、１つ以上の殺菌源と、該殺菌源（複数可）に結合された電源回路と、遮蔽体とを含む。遮蔽体及び／又は、殺菌源の少なくとも１つは、装置内で位置調整可能であり、装置は、遮蔽体及び／又は殺菌源（複数可）が互いに対して近接した状態になり、且つ、そうする際に、殺菌源（複数可）から発射された殺菌剤が、実質的に装置の中に包含されるように構成される。加えて、遮蔽体及び／又は、殺菌源（複数可）の少なくとも１つは、装置の中で位置調整可能であり、装置は、遮蔽体及び／又は殺菌源（複数可）が互いに対して近接から外れた状態になり、且つ、そうする際に、殺菌源（複数可）の少なくとも１つから発射された殺菌剤が、装置の外に発射されるように構成される。装置に対するそのような殺菌剤の封じ込め及び分散の選択肢に従って、装置は、プロセッサと、該プロセッサによって実行可能であるプログラム命令を有する格納媒体とを含む。該プログラム命令は、殺菌源が装置内にすっぽり包まれない場合に、少なくとも１つの殺菌源を動作させるべく、電源回路を作動させること、及び、殺菌源が装置内にすっぽり包まれる場合に、少なくとも１つの殺菌源を動作させるべく、電源回路を作動させることを目的としたものである。
【０００８】
幾つかの装置において、遮蔽体は、寸法的に殺菌源（複数可）を包含するように構成されたチャンバであってもよく、且つ／又は遮蔽体は、殺菌源（複数可）をすっぽり包むのに十分なチャンバを形成するために、装置の他の特徴を伴って構成してもよい。遮蔽体がチャンバである場合には、チャンバは装置の中に配置されてもよく、その結果として、寸法的に殺菌源（複数可）の少なくとも１つを受け入れるように構成されるチャンバのポートは、少なくとも１つの殺菌源と直線的な配列となっている。そのような実施形態において、少なくとも１つの殺菌源及び／又はチャンバは、装置内で直線的に変位可能であってもよく、その結果として、殺菌源（複数可）は、チャンバ内に包含され、且つ少なくとも１つの殺菌源は、装置に対するそれぞれ異なるモードの動作のために、チャンバの外に、少なくとも部分的に配置され得る。
【０００９】
装置の幾つかの実施形態は、殺菌源（複数可）及び遮蔽体が、互いに対して近接した状態にあるかどうかを検出するための、及び／又は殺菌源（複数可）及び遮蔽体が、互いに対して近接から外れた状態にあるかどうかを検出するための、センサを更に含む。換言すれば、装置は、殺菌源（複数可）が装置の中にすっぽり包まれるかどうかを検出するための、及び／又は殺菌源（複数可）が装置の中にすっぽり包まれないかどうかを検出するための、センサを含んでもよい。幾つかの場合において、装置は、電子的ユーザインターフェースと、プロセッサと、該プロセッサによって実行可能であるプログラム命令を有する格納媒体とを含んでもよい。該プログラム命令は、装置の動作を開始するための電子的ユーザインターフェースからの入力を受け取ると共に、該入力を受け取るに際して、殺菌源（複数可）が互いに対して近接した状態にあるかどうか、若しくは近接から外れた状態にあるかどうかを、又は、殺菌源（複数可）が装置の中にすっぽり包まれるかどうか、若しくは装置の中にすっぽり包まれないかどうかを、センサから判定することを目的としたものである。幾つかの場合において、装置は、殺菌源（複数可）が、装置内にすっぽり包まれるか、又は装置内にすっぽり包まれないかをそれぞれ判定するに際して、装置に対する異なるセットの動作パラメータに従って、電源回路を作動させるためのプログラム命令を含んでもよい。複数の殺菌源を含む装置においては、装置は、付加的に又は代替的に、プログラム命令を含んでもよく、該プログラム命令は、殺菌源が装置内にすっぽり包まれるか、又はすっぽり包まれないかをそれぞれ判定するに際して、複数の殺菌源の異なるサブセットを選択的に動作させるべく、電源回路を作動させることを目的としたものである。
【００１０】
装置の幾つかの実施形態は、入力制御器を有する電子的ユーザインターフェースを含んでもよい。該入力制御器は、主に装置の内部の媒質を消毒するための第１消毒モード、及び主に装置の外部の媒質を消毒するための第２消毒モードを含めて、装置によって実施される異なる消毒モードの選択を可能にする。そのような場合、装置は更にプログラム命令を含み、該プログラム命令は、選択された消毒モードに関する電子的ユーザインターフェースからの入力を受け取ると共に、遮蔽体及び殺菌源が互いに対して近接した状態にあるかどうか、又は近接から外れた状態にあるかどうかを判定することを目的としたものである。そのような実施形態に対して更に、装置はプログラム命令を含んでもよく、該プログラム命令は、第１消毒モードの入力を受け取ると共に、遮蔽体及び殺菌源（複数可）が、互いに対して近接から外れた状態にあることを判定するに際して、互いに対して近接した状態に位置調整されるべき殺菌源（複数可）及び／又は遮蔽体に対する訂正アクションを作動させることを目的としたものである加えて、装置はプログラム命令を含んでもよく、該プログラム命令は、第２消毒モードの入力を受け取ると共に、遮蔽体及び殺菌源（複数可）が互いに対して近接した状態にあることを判定するに際して、近接から外れた状態に位置調整されるべき殺菌源（複数可）及び／又は遮蔽体に対する訂正アクションを作動させることを目的としたものである。
【００１１】
幾つかの場合において、装置はプログラム命令を含んでもよく、該プログラム命令は、第１消毒モードの入力を受け取ると共に、遮蔽体及び殺菌源（複数可）が互いに対して近接した状態にあることを判定するに際して、装置に対する動作パラメータの所定の第１セットに従って、電源回路を作動させることを目的としたものである。その上、装置はプログラム命令を含んでもよく、該プログラム命令は、第２消毒モードの入力を受け取ると共に、遮蔽体及び殺菌源（複数可）が互いに対して近接から外れた状態にあることを判定するに際して、動作パラメータの第１のセットとは異なる、装置に対する所定の第２セットの動作パラメータに従って、電源回路を作動させることを目的としたものである。複数の殺菌源を含む装置において、装置はプログラム命令を含んでもよく、該プログラム命令は、第１消毒モードの入力を受け取ると共に、遮蔽体及び殺菌源が互いに対して近接した状態にあることを判定するに際して、複数の殺菌源の第１サブセットを選択的に動作させるべく、付加的又は代替的に電源回路を作動させることを目的としたものである。加えて、そのような装置において、装置はプログラム命令を含んでもよく、該プログラム命令は、第２消毒モードの入力を受け取ると共に、遮蔽体及び殺菌源が互いに対して近接から外れた状態にあることを判定するに際して、複数の殺菌ランプの第１サブセットとは異なる、複数の殺菌ランプの第２サブセットを選択的に動作させるべく、電源回路を作動させることを目的としたものである。
【００１２】
本発明の他の目的及び利点は、以下の詳細な説明を読むに際して、及び添付図面を参照するに際して、明らかになるであろう。
【図面の簡単な説明】
【００１３】
【図１】装置の内部の消毒プロセス及び装置の外部の消毒プロセスを、選択的に実施するための構成を有する消毒装置の例を図示する。
【図２】装置の１つ以上の殺菌源を動作させるための、本明細書に記載の装置の電源回路を作動させるためのプログラム命令の例を図示する。
【図３】図１に描かれた装置のためのチャンバの例の斜視図を図示する。
【図４】図１に描かれた装置のためのチャンバの例の断面図を図示する。
【図５】図１に描かれた装置のための殺菌源アセンブリの例を図示する。
【図６】本明細書に記載の装置のファンを作動させるためのプログラム命令の例を図示する。
【図７】本明細書に記載の装置の空気流量調節器を制御するためのプログラム命令の例を図示する。
【図８】本明細書に記載の装置で使用してもよい空気流量調節器の例を図示する。
【図９ａ−９ｂ】装置の空気出口に対する、図８に描かれた空気流量調節器の位置の例を図示する。
【図１０】本明細書に記載の装置で使用してもよい空気流量調節器の別の構成を図示する。
【図１１】装置の内部の消毒プロセス及び装置の外部の消毒プロセスを、選択的に実施するための構成を有する別の装置の構成例を図示する。
【図１２】装置の内部での消毒プロセス及び装置の外部での消毒プロセスを選択的に実施するための構成を有する別の装置の構成例を図示する。
【図１３】装置の内部での消毒プロセス及び装置の外部での消毒プロセスを選択的に実施するための構成を有する別の装置の構成例を図示する。
【図１４】本明細書に記載の装置に関連して実施してもよいプロセス例のフローチャートを図示する。
【図１５】本明細書に記載の装置に関連して実施してもよいプロセス例のフローチャートを図示する。
【図１６】本明細書に記載の装置に関連して実施してもよいプロセス例のフローチャートを図示する。
【図１７】本明細書に記載の装置に関連して実施してもよいプロセス例のフローチャートを図示する。
【発明を実施するための形態】
【００１４】
本発明は、様々な変更例及び代替形態が可能であるが、本発明の特定の実施形態は、図面において例示されており、本明細書で詳細に説明される。しかしながら、理解されるべきことであるが、図面及び図面に対する詳細な説明は、本発明を開示された特別な形態に限定することを意図したものではなく、反対に、その意図は、添付された請求項によって定義されるように、本発明の趣旨及び範囲内にある、全ての変更例、等価例及び代替例を包含することである。
【００１５】
図面を参照すると、装置の内部又は装置の外部の表面、物体、及び／又は空気を消毒する使用するために使用される装置の例が提供される。特に、図１、及び図１１から図１３は、そのような内部及び外部の消毒能力を可能にするための構成を有する、異なる装置の例を描いている。加えて、図３から図５、及び図８から図１０は、装置を構成すると共に、具体的には、そのような選択を可能にし得る、異なる部品の例を図示する。図面に示されるように、装置は、装置の自動化された動作のための、プロセッサ実行可能なプログラム命令を含んでもよい。図２、図６、図７、及び図１４から図１７は、そのようなプログラム命令を介して、自動化してもよいプロセス例のフローチャートを描く。以下でより詳細に定められるであろうが、本明細書に記載の装置及び部品は、図面の中の描写に限定されない。装置及び部品について、幾つかの他の構成を考えてもよい。更に、図面は、必ずしも縮尺通りに描かれていないことに留意されたい。
【００１６】
本明細書に記載の装置の各々は、殺菌源を含む。殺菌源は、分散可能な殺菌剤を発生させるように構成された任意の装置であってもよい。特に、殺菌源は、液体、蒸気、気体、プラズマ、又は殺菌光の形態をした殺菌剤を発生させるように構成された任意のデバイス又は装置であってもよい。幾つかの場合において、殺菌源は、１つ以上のタイプの殺菌剤を発生させるように構成してもよい。本明細書で使用されるように、用語「殺菌剤」は、微生物、特に、病気を運ぶ微生物、及び／又は病気を生じさせる微生物（病原菌として知られる）を不活性化する又は殺すための作用因子を指す。本明細書で使用されるように、用語「殺す」は、生物体の死を引き起こすことを意味する。対照的に、本明細書で使用されるように、用語「不活性化する」は、殺すことなく、生物体を再生できなくすることを意味する。そのため、微生物を不活性化するように構成される殺菌剤は、本明細書で使用されるように、微生物を再生できなくするが、しかし生物体を生かしたままにする作用因子を指す。更に、本明細書で使用される用語「殺菌源」は、殺菌剤を発生させると共に分散させるのに使用される、１つ以上の部品の集合体を指す。幾つかの実施形態において、殺菌源は、殺菌剤を発生させるのに使用される部品（複数可）に加えて、発生部品（複数可）から殺菌剤を分散させる効果をもたらすための部品を含んでもよい。任意の場合において、本明細書に記載の装置は、装置の設計仕様に依存して、任意の数の殺菌源を含んでもよい。
【００１７】
幾つかの場合において、本明細書に記載の装置の殺菌源は、微生物を不活性化する且つ／又は殺すように分子的に構成される液体殺菌剤、蒸気殺菌剤、気体殺菌剤、又はプラズマ殺菌剤を発生させるように構成してもよい。本明細書で使用されるように、句「分子的に構成された」は、この句の後に述べられる機能を与えるための、物質の基本的な構造（即ち、物質を構成する原子の数及び型）を指す。幾つかの実施形態において、微生物を不活性化する且つ／又は殺すための液体殺菌剤、蒸気殺菌剤、気体殺菌剤、又はプラズマ殺菌剤の機能は、殺菌剤を構成する成分に起因し得るため、そのような殺菌剤は、微生物を不活性化する且つ／又は殺すように分子的に構成されるものとして、言及され得る。これは、自身が使用される方法によって不活性化機能及び／又は殺害機能を与える液体殺菌剤、蒸気殺菌剤、気体殺菌剤、又はプラズマ殺菌剤と対照的である。例えば、沸騰水及び蒸気は、しばしば有効な滅菌作用因子であるが、これは、それらの分子的成分というよりも、それらが使用される温度によるものである。気体殺菌剤の例は、それが使用される方法によって、微生物を不活性化する又は殺すものであり、この場合、気体殺菌剤は、非常に高い温度にある空気である。更に、幾つかのプラズマ殺菌剤の殺菌効力は、帯電した粒子の分子的成分というよりも、主にプラズマを構成する帯電した粒子の存在及び活動によるものである。
【００１８】
微生物を殺すように分子的に構成される気体殺菌剤の例は、オゾンである。微生物を不活性化する又は殺すように分子的に構成されるプラズマ殺菌剤の例は、反応性酸素種を使用する又は発生させるものである。微生物を不活性化する又は殺すように分子的に構成される液体殺菌剤及び蒸気殺菌剤の例は、原理的な消毒作用因子を有する液体及び蒸気の殺菌溶剤を含み、該消毒作用因子は、漂白剤、過酸化水素、塩素、アルコール、四級アンモニウム化合物、又はオゾンのようなものであるが、これらに限定されない。そのような任意の場合において、液体及び蒸気の殺菌剤は、水溶性又は非水溶性であってもよい。次のことに留意されたい。即ち、微生物を不活性化する又は殺すように分子的に構成される液体殺菌剤、蒸気殺菌剤、気体殺菌剤、又はプラズマ殺菌剤を発生させるように構成される殺菌源は、上で詳細に議論されてはいるが、本明細書で考えられる装置は、幾つかの実施形態において、不活性化機能及び殺害機能を与える液体殺菌剤、蒸気殺菌剤、気体殺菌剤、又はプラズマ殺菌剤を発生させるように構成された殺菌源を含んでもよく、該不活性化機能及び殺害機能は、沸騰水、蒸気、又は加熱した空気を介することなどで、その殺菌剤が使用される方法によって与えられる、ということである。任意の場合において、液体殺菌剤、蒸気殺菌剤、気体殺菌剤、又はプラズマ殺菌剤を分散させるように構成してもよい装置の例は、液体スプレー、噴霧器、プラズマトーチャ、及び、湿式及び乾式のミストシステムを含めたミストシステムを含むが、しかし必ずしもこれらに限定されない。本明細書で使用されるように、用語「ミスト」は、気体中の液体の微小小滴が懸濁したものを指す。本明細書での使用に対して、殺菌性ミストは、液体殺菌剤として分類される。
【００１９】
上で述べたように、本明細書に記載の装置の殺菌源は、幾つかの実施形態において、殺菌光を発生させるように構成されたデバイスであってもよい。用語「殺菌光」は、微生物、特に病気を運ぶ微生物、及び／又は病気を生じさせる微生物（病原菌として知られる）を、不活性化する又は殺す能力がある光を指す。殺菌性であると知られる光の範囲は、おおよそ２００ｎｍとおおよそ３２０ｎｍとの間、特に２２０ｎｍの紫外光、及び２６０ｎｍと２６５ｎｍとの間の紫外光、並びにおおよそ４００ｎｍとおおよそ４７０ｎｍとの間、特に４０５ｎｍの可視青紫光（高強度狭スペクトル（ＨＩＮＳ）としても知られる）を含む。幾つかの実施形態において、殺菌光源は、次の光に限定されないが、おおよそ５００ｎｍよりも波長の長い可視光のような、殺菌性でない範囲の光を発生させてもよく、しかしそのような能力は、殺菌性である光源に言及することを妨げないであろう。紫外光及び／又はＨＩＮＳ光を発生させるように構成してもよい殺菌光源の例は、放電ランプ、発光ダイオード（ＬＥＤ）固体デバイス、およびエキシマレーザーを含む。ＨＩＮＳランプは、一般にＬＥＤで構成される。
【００２０】
本明細書で使用されるような放電ランプは、気体中の電極間での内部放電によって、光を発生させるランプを指す。その用語は、気体放電ランプを包含するが、これは、イオン化した気体（即ち、プラズマ）を通して放電を発することによって、光を発生させるものである。その用語はまた、表面放電ランプを包含するが、これは、気体が存在する状態で、誘電体基板の表面に沿って放電を発して、基板の表面に沿ってプラズマを生じさせることによって、光を発生させるものである。そのため、本明細書に記載の殺菌源として考えてもよい放電ランプは、表面放電ランプと同様に、気体放電ランプを含む。放電ランプは、使用される気体（複数可）のタイプ、及び該気体が動作する圧力によって、更に特徴付けられ得る。本明細書に記載の殺菌源として考えてもよい放電ランプは、低圧力、中圧力で、且つ高強度のものを含んでもよい。加えて、使用される気体（複数可）は、ヘリウム、ネオン、アルゴン、クリプトン、キセノン、窒素、酸素、水素、水蒸気、二酸化炭素、水銀蒸気、ナトリウム蒸気、及びこれらの任意の組み合わせを含んでもよい。幾つかの実施形態において、様々な追加物及び／又は他の物質を、気体（複数可）に含んでもよい。任意の場合において、本明細書に記載の殺菌源に対して考えられる放電ランプは、連続光を発生させるもの、及び短い持続期間で光を発生させるものを含んでもよく、これらの後者は、多くの場合、フラッシュ管又はフラッシュランプを指す。光の繰り返しパルスを供給するのに使用されるフラッシュ管又はフラッシュランプは、多くの場合パルス光源を指す。
【００２１】
連続光を生じさせるのに使用される、一般に使用される気体放電ランプは、水銀蒸気ランプであり、これは、本明細書に記載の殺菌源の幾つかとして考えてよい。水銀蒸気ランプは、２５３．７ｎｍで強いピークの光を放出し、この光は、特に殺菌消毒に対して適用可能と考えられ、且つ、従って、紫外殺菌照射（ＵＶＧＩ）に対して、一般に参照される。本明細書に記載の殺菌源として考えてもよい、一般に使用されるフラッシュランプは、キセノンフラッシュ管である。水銀蒸気ランプとは対照的に、キセノンフラッシュ管は、紫外から赤外までの広いスペクトルの光を発生させ、且つ、従って、殺菌剤に対して知られる全スペクトルにおいて、紫外光を提供する（即ち、おおよそ２００ｎｍとおおよそ３２０ｎｍとの間で）。加えて、キセノンフラッシュ管は、殺菌性が最適であると知られるスペクトルにおいて（即ち、２２０ｎｍ及び／又は、おおよそ２６０ｎｍとおおよそ２６５ｎｍとの間で）、比較的十分な強度を提供することが可能である。その上、キセノンフラッシュ管は、最大量の熱を発生させ、この熱は、微生物を不活性化する及び／又は殺すことに、更に寄与することが可能である。
【００２２】
それらは、今日まで、商業市場において容易に入手可能なものではないが、表面放電ランプは、上で述べたように、本明細書に記載の殺菌源の幾つかとして考えてもよい。キセノンフラッシュ管と同様、表面放電ランプは、殺菌性があるとして知られる全スペクトルにおいて（即ち、おおよそ２００ｎｍとおおよそ３２０ｎｍとの間で）、紫外光を生じさせる。しかしながら、対照的に、表面放電ランプは、一パルスあたり、より高いエネルギーレベルで動作し、且つ、従って、キセノンフラッシュ管と比較した場合、より長いランプ寿命と同様に、より大きなＵＶ効率を提供する。水銀蒸気ランプ、キセノンフラッシュランプ、及び表面放電ランプの前述の説明及び比較は、そのようなランプを含める上で、本明細書に記載の殺菌源を決して制限するものではないことに、留意されたい。むしろ、前述の説明及び比較は、因子を提供するために提供されるにすぎず、特に装置の目的及び応用に依存して、殺菌源のための放電ランプを選択する場合、当業者は、これらの因子を企図し得る。
【００２３】
上で述べたように、本明細書に記載の装置は、装置の外部及び装置の内部の異なる消毒モード、特に装置の外部の部屋／エリアの消毒プロセス、及び装置の内部の物体及び又は空気の消毒プロセス、を選択的に実施するための構成を含む。本明細書で使用されるように、用語「部屋／エリアの消毒」は、人間の占有にとって適したスペースの清掃を指し、該清掃によって、そのエリアにおける病気を運ぶ微生物の成長を不活性化する、破壊する、又は妨げる。本明細書で使用される「人間の占有にとって適したスペース」という句は、そのスペースにおいて、平均的サイズの成人が、その中で食べる、眠る、働く、ゆったり過ごす、活動に参加する、又は仕事を完了するために、少なくともある時間期間の間、快適に占有してもよいスペースを指す。幾つかの場合において、人間の占有にとって適したスペースは、境界があり、且つ部屋に出入りするためのドアを含んでもよい。他の場合において、人間の占有にとって適したスペースは、不確定の境界を有するエリアであってもよい。人間の占有にとって適したスペースの例は、単一の患者室、複数が占有する患者室、バスルーム、ウォークインクロゼット、廊下、寝室、オフィス、手術室、患者検査室、待合エリア及び／又はラウンジエリア、及び看護ステーションを含むが、しかしこれらに限定されない。
【００２４】
本明細書に記載の装置は、部屋／エリアの消毒プロセスを実施可能なことに特有であるため、それらの殺菌源が、装置の外部で殺菌剤（複数可）を分散させるように配置される場合、装置は、部屋／エリアの消毒を容易にするための構成を含む。より具体的には、本明細書に記載の装置は、効果的な量の殺菌剤を部屋の周囲に広範囲に分散させるための構成を含むが、この部屋の中で、装置は、部屋の中で消毒される表面及び物体の数を最大化するように配置される。装置は、そのような目的を達成するための、任意の形状、サイズ、又は構成のものであってもよい。例えば、本明細書に記載の装置として考えてもよい構成は、図１及び図１３を参照して説明されるように、殺菌源の周りのほぼ３６０°にわたって殺菌剤を分布させるように、装置内に殺菌源を位置決めするものである。そのような場合、装置は、殺菌源から放出された殺菌剤が、実質的に装置を取り囲むように、装置の周りのほぼ３６０°にわたって殺菌剤を阻止するための、十分な部品が無くてもよい。しかしながら、他の実施形態において、内部及び外部の消毒モードの両方を可能にする構成を有する装置は、図１１を参照して説明されるように、外部消毒モードの間、装置外部の周りの３６０°未満に、殺菌剤を分布させるように構成してもよい。
【００２５】
部屋又はエリアの中で殺菌剤を分布させるうえで手助けとなる、本明細書に記載の装置のための構成は、殺菌源が部屋又はエリアの周囲に殺菌剤を発射している間、装置が部屋又はエリア中を移動するように自動化されたものである。例えば、本明細書に記載の装置は、電動化された車輪と、プロセッサ実行可能なプログラム命令とを含み、該プロセッサ実行可能なプログラム命令は、殺菌源が殺菌剤（複数可）を放出している間、所定の経路に従って、且つ／又は、部屋又はエリアの中の障害物の周りを巧みに行動するためのセンサに応答して、電動化された車輪を作動させることを目的としたものである。本明細書に記載の装置に含まれ得る、エリア／部屋の消毒を容易にすることに特有である構成の他の例は、２０１２年１２月６日に出願された米国特許出願第１３／７０６，９２６号、及び２０１２年１２月７日に出願された米国特許出願第１３／７０８，２０８号、並びに２０１４年１０月８日に出願された国際出願ＰＣＴ／ＵＳ２０１４／０５９６９８号に開示され、これらの全ての内容は、あたかも本明細書で完全に定められたように、参照によって本明細書に組み込まれる。エリア／部屋の消毒装置の他の構成は、しかしながら、本明細書に記載の装置として、付加的に又は代替的に使用してもよい。更に、本明細書に記載の装置は、特別なサイズの部屋及びエリアで使用することに、必ずしも束縛されるものではないが、幾つかの場合において、本明細書に記載の装置は、少なくともほぼ４ｍ3の区切られたエリアに対して構成してもよい。
【００２６】
幾つかの実施形態において、本明細書に記載の装置は、殺菌源から１メートル以上である、又は更に２メートル若しくは３メートル以上である部屋又はエリア内での表面上の細菌汚染において、２ログから４ログの間での減少を達成するべく、有効な量の殺菌剤を分布させるための構成を含んでもよい。そのような効果をもたらすために使用される構成は、一般に殺菌源の構成、特に殺菌源のサイズ、殺菌剤が分散される強度及び／又は頻度、並びに装置内での殺菌源の向きに依存する。一般に、本明細書で考えられる殺菌源は、幾つかの実施形態において、任意の形状、サイズ、向き、又は構成であってもよく、且つ本明細書で考えられる殺菌源は、装置から１メートル以上である、又は更に２メートル若しくは３メートル以上である部屋又はエリア内での表面上の細菌汚染において、望ましい減少を達成するためのパラメータで実施してもよい。そのような効果を達成するうえで助けとなり得る、殺菌源の向きの例は、次の通りである。即ち、殺菌源は、部屋又はエリア内の距離以上に殺菌剤を分布させるうえで助けとなるべく、垂直に配置してもよい（即ち、殺菌源は、支持構造の水平面に対して、実質的に垂直に、縦に配置してもよい）。
【００２７】
幾つかの場合において、本明細書に記載の装置は、殺菌源から１メートル以上である、又は更に２メートル若しくは３メートル以上である部屋又はエリア内の表面上での細菌汚染において、望ましい減少を達成するうえで助けとなるべく、装置の中の他の部品の構成（即ち、殺菌源の構成以外の）を利用してもよい。例えば、本明細書に記載の装置は、幾つかの実施形態において、殺菌源に結合されたアクチュエータと、プロセッサ実行可能なプログラム命令とを含んでもよく、該プロセッサ実行可能なプログラム命令は、部屋又はエリアの中での殺菌剤の分布を助けるために、殺菌源が、部屋又はエリアの周囲に殺菌剤を発射している間に、殺菌源を移動させるべく、アクチュエータを作動させることを目的としたものである。より具体的には、殺菌源が部屋又はエリアの周囲に殺菌剤を発射している間に、殺菌源は、アクチュエータを介して、垂直方向、水平方向、及び／又は対角方向に移動してもよい。
【００２８】
本明細書に記載の装置に対する任意の特定の殺菌効率目的、及びそのような目的を達成するのに使用される部品構成とは関係なく、部屋の消毒装置にしばしば含まれ、且つ本明細書で開示される装置に含まれ得る部品は、運動センサ、熱センサ、ドップラーセンサ、写真認識センサのような、移動検出センサ及び／又は、部屋／エリア占有センサである。特に、本明細書に記載の装置は、装置が配置されるエリア／部屋における移動及び／又は占有を検出するに際して、殺菌源に対する電源回路の作動を禁止する又は終結させるためのプログラム命令を含んでもよい。移動検出センサ及び／又は、部屋／エリア占有センサからの情報を利用する付加的なプログラム命令は、装置の内部及び外部で実施されるべき消毒プロセスを可能にする、本明細書に記載の装置の構成に特有のものであるが、該プログラム命令は、図１６及び図１７を参照して、以下で説明される。
【００２９】
図１を参照すると、装置２０が示され、該装置２０は、殺菌源２２、チャンバ２４、電源回路２６、プログラム命令２８、プロセッサ３０、ユーザインターフェース３２、遠隔ユーザインターフェース３４、基底部３６、それにセンサ３８及び４８を含む。一般に、電源回路２６、プログラム命令２８、プロセッサ３０、ユーザインターフェース３２、遠隔ユーザインターフェース３４、及びセンサ３８／４８は、装置の動作に影響を及ぼすべく、互いに電気的に連通していてもよい（配線接続又は無線接続を介して）。例えば、電源回路２６は、殺菌剤を発生させるべく、殺菌源を動作させるために、殺菌源２２と電気的に結合され、電源回路２６は、殺菌源２２を動作させるタイミングに影響を及ぼすべく、プロセッサ３０、ユーザインターフェース３２、遠隔ユーザインターフェース３４、及び／又はセンサ３８／４８と更に電気的に結合される。加えて、プロセッサ３０は、プログラム命令がプロセッサによって実行されるように、プログラム命令２８と電気的に結合され、加えて、プロセッサ３０は、プログラム命令２８に従って、そのような部品の動作に影響を及ぼすべく、ユーザインターフェース３２、遠隔ユーザインターフェース３４、及び／又はセンサ３８／４８と電気的に結合される。他の電気的接続が、上述の部品の任意のものと装置２０の他の部品との間で、装置２０に含まれてもよいが、これは、それらの部品の動作に影響を及ぼすためであり、特に図１から図１７を参照して説明される動作に影響を及ぼすためである。例えば、電源回路２６、プロセッサ３０、ユーザインターフェース３２、遠隔ユーザインターフェース３４、及び／又はセンサ３８／４８は、空気移動デバイス、空気流量調節器、アクチュエータ、他のセンサ、他の殺菌源、又は、部品の動作に影響を及ぼすべく任意選択的に装置に含まれる任意の他の部品と、電気的に連通していてもよい。
【００３０】
用語「プログラム命令」は、本明細書で使用されるように、ソフトウェア内のコマンドを指し、該コマンドは、図２、図６、図７、及び図１４から図１７を参照して説明されるプロセスの任意のもののように、特定の機能を実施するように構成される。プログラム命令２８は、様々な方法の任意のもので履行してもよく、該様々な方法とは、とりわけ、手続きベースの技法、部品ベースの技法、及び／又は目的指向の技法を含む。例えば、プログラム命令２８は、ＡｃｔｉｖｅＸ  ｃｏｎｔｒｏｌｓ、Ｃ＋＋ｏｂｊｅｃｔｓ、ＪａｖａＢｅａｎｓ、Ｍｉｃｒｏｓｏｆｔ  Ｆｏｕｎｄａｔｉｏｎ  Ｃｌａｓｓｅｓ（”ＭＦＣ”）を使用して、又は、必要ならば、他の技術若しくは方法論を使用して、履行してもよい。プログラム命令２８は、配線、ケーブル、又は無線伝送リンクのようなキャリア媒体を通して、又はキャリア媒体上で伝送してもよい。次のことに留意されたい。即ち、プログラム命令２８は、本明細書で具体的に説明されるもの以外のプロセスを実施するためのプログラム命令を含んでもよく、且つ、従って、本明細書に記載の装置は、図２、図６、図７、及び図１４から図１７を参照して説明される動作を実施するためのプログラム命令を有することに限定されない、ということである。一般に、プログラム命令２８は、本明細書に記載の装置内の格納媒体を用いて格納してもよい。用語「格納媒体」は、本明細書で使用されるように、１つ以上のセットのプログラム命令を保持するように構成された任意の電子的媒体を指し、該電子的媒体は、読み出し専用メモリ、ランダムアクセスメモリ、磁気ディスク若しくは光ディスク、又は磁気テープのようなものであるが、これらに限定されない。
【００３１】
図１に示されるように、殺菌源２２は、支持部材４０によって、支持されると共に、チャンバ２４の中で、及びチャンバ２４から外へ移動可能であってもよい。特に、支持部材４０は、殺菌源２２の下側部分に結合させてもよく、且つ、図１において、殺菌源２２の破線部分バージョン、及び殺菌源２２に隣接する両側矢印垂直線によって表されるように、殺菌源２２をチャンバ２４の中に引き入れるように構成してもよい。一般に、装置２０は、殺菌源２２を支持する及び／又は移動させるための、任意の数の支持部材を含んでもよく、且つ、従って、装置２０は、図１に示されるように、２つの支持部材４０を有することに限定される必要はない。更に、装置２０は、図１に示されるように、殺菌源２２の底部に結合された支持部材を有することに限定される必要はない。特に、装置２０は、チャンバ２４の中と外で殺菌源の移動を支持すると共に、該移動に影響を及ぼすための、殺菌源２２の側壁及び／又は上面に結合された部品、及び／又は、該側壁及び／又は上面に係合するように構成された部品を、付加的に又は代替的に含んでもよい。例えば、殺菌源２２及びチャンバ２４は、チャンバ２４の中と外で殺菌源２２の移動を支持すると共に、該移動に影響を及ぼすための、係合可能な切り欠き及び突起を、又はその逆を、それぞれ含んでもよい。加えて又は代わりに、装置２０は、殺菌源を支持する目的で、且つ、幾つかの場合において、チャンバ２４の中と外で殺菌源を引くと共に押すための方法を提供する目的で、殺菌源２２の最上部に結合される部品を含んでもよい。任意の場合において、殺菌源２２の移動に影響を及ぼすのに使用される部品は、変位可能な部品（例えば、装置２０の中で変位させられ得る、堅い展性が無い棒）、引っ込め可能な（即ち、折りたたみ式の、又は入れ子式の）棒、及び滑り軌道のような、そのような機能を、既知の任意の方法において達成するように構成してもよいが、しかし使用される部品は、これらに限定されない。幾つかの場合において、アクチュエータ（即ち、電動化された部品）は、殺菌源２２の自動化された移動に影響を及ぼすために使用してもよい。しかしながら、他の場合において、殺菌源２２の移動は、装置２０のユーザによって手動で影響を及ぼしてもよい。
【００３２】
図１において、チャンバ２４に隣接する両側矢印垂直線によって表されるように、装置２０は、幾つかの場合において、チャンバ２４を上下に移動させるように構成してもよい。そのような構成は、装置２０内での殺菌源２２の移動に影響を及ぼすための部品を有することに対して、付加的又は代替的であってもよい。特に、装置２０は、殺菌源を包含するために、及びチャンバ２４から外に殺菌源を延在させるために、変位可能である殺菌源２２を有することに制限される必要はない。むしろ、装置２０は、チャンバ２４を上下に移動させるための構成を、付加的に又は代替的に含んでもよく、その結果として、殺菌源２２は、装置２０の少なくとも１つのモードの動作のために、チャンバの中にすっぽり包まれ、また同様に、装置２０の少なくとも異なるモードのために、少なくともその一部をチャンバの外に延在させる。装置２０内でのチャンバ２４の移動を可能にする構成は、チャンバ２４の底部、側面、及び／又は上部に結合された変位可能な部品、チャンバ２４の底部、側面、及び／又は上部に結合された引っ込め可能な棒、チャンバ２４の側面と殺菌源２２との間の滑り軌道、及び／又はチャンバ２４の側面とチャンバ２４の外部に結合された部品との間の滑り軌道のような、そのような機能を達成するための、既知の任意の構成を含んでもよいが、しかし構成は、これらに限定されない。幾つかの場合において、アクチュエータ（即ち、電動化された部品）は、チャンバ２４の自動化された移動に影響を及ぼすために、使用してもよい。しかしながら、他の場合において、チャンバ２４の移動は、装置２０のユーザによって手動で影響を及ぼしてもよい。
【００３３】
チャンバ２４及び／又は殺菌源２２が装置２０内で移動するように構成されるかどうかには関係なく、殺菌源２２及び／又はチャンバ２４の移動は、チャンバ２４の中に殺菌源２２を包含するか、又はチャンバ２４の外に殺菌源２２を延在させるか、のいずれかである。以下で詳細に定められるように、殺菌源２２がチャンバ２４内に包含される実施形態においては、殺菌源２２及び／又はチャンバ２４の移動によって、チャンバの中に殺菌源を同時にすっぽり包んでもよい。特に、装置２０は、幾つかの実施形態において、殺菌源２２が、チャンバの中に包含されるに際して、チャンバ２４内にすっぽり包まれるように構成してもよい（例えば、ポート４２上方のドアを閉鎖することによって、又はポート４２を密閉する、殺菌源２２を構成するハウジングの上部を閉鎖することによって）。他の場合において、チャンバ２４をすっぽり包むことは、殺菌源２２がその中に包含された後に、実施してもよい。本明細書で使用されるように、用語「包含される」は、格納ユニットの境界内に存在することを指す。反対に、用語「すっぽり包まれる」は、囲まれることを指す。更に、殺菌源２２は、装置２０の外部で実施される消毒プロセスのために、チャンバ２４の外側に、部分的又は完全に延在してもよいことに留意されたい。特に、殺菌源２２の全て、又は殺菌源２２のほんの一部は、装置によって実施されるエリア／部屋の消毒プロセスのために、チャンバ２４の外に位置決めしてもよい。
【００３４】
図１に示されると共に上で述べたように、装置２０は、基底部３６を含んでもよい。一般に、基底部３６は、チャンバ２４及び／又は支持部材４０を支持するように構成してもよい。そのような機能を達成するために、既知である任意の構成を、基底部３６に対して使用してもよい。該基底部３６は、プレート、環状リング、又は一組の支持脚部（例えば、テーブルの脚に類似した）を含むが、しかしこれらに限定されない。基底部３６を含むことは、装置２０がチャンバ２４を移動させるための構成を含む実施形態において、特に有用で有り得る。しかしながら、基底部３６は、装置２０がチャンバ２４を移動させるように構成されない実施形態においても、装置２０の中で依然として有用で有り得る。例えば、そのような後者の場合の幾つかにおいて、基底部３６は、チャンバ２４の一部（即ち、床部）を形成してもよい。加えて又は代わりに、及び、装置がチャンバ２４を移動させるように構成されるかどうかには関係なく、基底部３６は、装置２０の高さが設計仕様の範囲内にあるように構成してもよい。このことは、特に、もしチャンバ２４のサイズが、距離を限定するべく、制限される場合に当てはまり、該距離とは、殺菌剤が、該距離を通って流れる空気流を消毒するために、又は以下でより詳細に説明されるように、チャンバの内側に配置された物体を消毒するために、進む距離である。しかしながら、更に幾つかの場合において、基底部３６は、装置２０から省いてもよい。特に、チャンバ２４は、幾つかの実施形態において、装置２０に対する基底部としての役割を果たしてもよい。任意の場合において、本明細書で考えられる装置に対する任意選択的な特徴は、装置としての携帯性に影響を及ぼすはずである、車輪及び／又は取っ手を含み、且つこれらのいずれかは、装置の設計仕様に依存して、チャンバ２４、基底部３６、又は装置２０の任意の他の部品に結合してもよい。
【００３５】
図１に示されるように、電源回路２６、プログラム命令２８、プロセッサ３０、及びユーザインターフェース３２は、チャンバ２４の中に配置してもよい。しかしながら、幾つかの実施形態において、基底部３６の中に電源回路２６、プログラム命令２８、プロセッサ３０、及びユーザインターフェース３２の１つ以上を配置すること、又はチャンバ２４とは違った装置２０の異なる構造（チャンバ２４に隣接して、又はチャンバ２４の上方に配置される構造のような）を配置することは有利であるかもしれず、その理由は、そのような部品を、殺菌源２２によって発生される殺菌剤に、又は殺菌剤発生の副産物に、晒すのを避けるためである。例えば、殺菌源２２が紫外（ＵＶ）ランプである実施形態では、ＵＶ光及びそのランプから発生された熱が、電源回路２６、プログラム命令２８、プロセッサ３０、及びユーザインターフェース３２を劣化させるかもしれず、又はチャンバ２４内のそのような部品を格納するハウジングでさえも劣化させ得る。同様に、殺菌源２２が化学的な蒸気、液体、及び／又は気体（例えば、過酸化水素蒸気）の供給源である実施形態では、ランプから発生される化学物質及び／又は湿気に晒すことは、電源回路２６、プログラム命令２８、プロセッサ３０、及びユーザインターフェース３２を劣化させるかもしれず、又はチャンバ２４内のそのような部品を格納するハウジングでさえも劣化させ得る。代わりに、電源回路２６、プログラム命令２８、プロセッサ３０、及び／又はユーザインターフェース３２は、チャンバ２４の中のハウジングに格納してもよく、該ハウジングは、熱、湿気、及び殺菌源２２によって発生される化学物質に耐えるように構成される。
【００３６】
幾つかの場合において、チャンバ２４内の化学物質分散と同様、熱及び湿気の発生は、チャンバ２４それ自体にとって有害で有り得る。加えて、熱及び湿気は、チャンバ２４内の殺菌源２２の殺菌効率を減少させ得る。従って、幾つかの場合において、電源回路２６、プログラム命令２８、プロセッサ３０、及び／又はインターフェース３２がチャンバの中に配置されるかどうかには関係なく、チャンバ２４は、殺菌源２２によって発生される熱、湿気、及び化学物質を散逸させる又は除去するための構成を含んでもよい。例えば、チャンバ２４は、幾つかの実施形態において、その内部の中に、及び／又は１つ以上のその外側側壁に沿って、熱遮蔽体を含んでもよいが、これは、チャンバ２４の外側が、あまりにも熱くなるのを、特に触れないくらい熱くなるのを防ぐためである。加えて又は代わりに、チャンバ２４は、その内部に、及び／又は１つ以上のその外側側壁に沿って、１つ以上の熱シンクを含んでもよい。更に、チャンバ２４は、幾つかの場合において、その中の温度を下げるために、その内部に冷却デバイスを含んでもよい。その上、チャンバ２４は、付加的に又は代替的に、除湿器を含んでもよく、且つ／又は、チャンバ２４の内部側壁は、付加的に又は代替的に、化学的に耐久性のある材料を備えてもよい。その上、チャンバ２４は、付加的に又は代替的に、その中で分散された熱、湿気、及び化学物質を放出するための、フィルタ作用のある出口を含んでもよい。化学的な蒸気、気体又は液体がチャンバ２４の中で発生される場合、フィルタ作用のある出口は、化学物質（複数可）の危険な元素／成分を捕捉する且つ／又は中和するためのフィルタを含んでもよい。
【００３７】
チャンバ２４が、その中の殺菌源２２によって発生された熱、湿気、及び化学物質を散逸させる又は除去するための構成を含むかどうかには関係なく、殺菌源２２がチャンバの中にすっぽり包まれる場合、装置２０は、殺菌源２２から発射された殺菌剤が、実質的にチャンバ２４の中に包含されるように構成される。装置２０のそのような構成は、殺菌剤を包含するための、チャンバ２４の構成を含んでもよい。例えば、チャンバ２４の側壁は、固い不浸透な材料（複数可）から成ってもよく、且つチャンバ２４の側壁を隣り合わせる継ぎ目は、密閉してもよい。加えて、チャンバ２４の任意の空気入口及び空気出口（これらは、以下でより詳細に説明されるように、チャンバ２４内の空気消毒を実施する上で、装置２０に影響を及ぼす）は、フィルタを含んでもよく、該フィルタによって、該空気入口及び空気出口を通って殺菌剤が解放されるのを防止する。更に、図３を参照して以下でより詳細に説明されるように、チャンバ２４は、幾つかの場合において、ポート４２におけるドア、及び／又は装填ポートにおけるドアを含んでもよく、これらのドアを通って、物体は、チャンバ２４内での物体消毒プロセスのために、装填される。そのような場合において、殺菌源がチャンバの中に包含され、且つドア（複数可）が閉じられる場合、ドア（複数可）は、殺菌源２２から発射される殺菌剤の解放を実質的に防止するように構成してもよい。他の場合において、チャンバ２４は、幾つかの実施形態では、ポート４２における密閉機構を含んでもよい。この場合、チャンバの中と外で殺菌源に影響を及ぼすべく、殺菌源及び／又はチャンバを移動させるに際して、ポート４２を通って、殺菌源２２又は殺菌源２２を包含するハウジングが、滑るように通過してもよい。そのような場合、チャンバ２４及び／又は殺菌源２２は、殺菌源２２を備えるハウジングの上部が、殺菌源をチャンバ２４内にすっぽり包むべく、ポート４２での密閉機構と接触した状態にあるように、内部消毒プロセスのための、その移動を終結させるように構成してもよい。
【００３８】
幾つかの場合において、殺菌源２２がチャンバの中にすっぽり包まれる場合、チャンバ２４の中の殺菌源２２から発射される殺菌剤を実質的に包含するための装置２０の構成は、装置２０の他の部品（即ち、チャンバ２４以外の部品）の構成を含んでもよい。例えば、殺菌源２２又は殺菌源２２を備えるハウジングの最上部は、その外側側壁に沿って（特にその最上部表面の周りに）、密閉機構を含んでもよく、該密閉機構は、殺菌源がチャンバ２４内で位置決めされる場合、ポート４２と接触することになる。そのような場合、チャンバ２４及び／又は殺菌源２２は、密閉機構が、チャンバ２４内に殺菌源をすっぽり包むべく、ポート４２と接触した状態にあるように、内部消毒プロセスのための、その移動を終結させるように構成してもよい。加えて又は代わりに、装置２０は、殺菌源２２の上方に配設された部品を含んでもよい。この場合、該部品の部分は、図５を参照して以下でより詳細に説明されるように、ポート４２に隣接するチャンバ２４の外側部分と噛み合う。
【００３９】
幾つかの場合において、チャンバ２４は不透明であってもよく、これは、特に殺菌源２２が殺菌ランプを含む実施形態において当てはまる。該殺菌ランプは、非常に明るい可視光を生じさせるものであり、且つ／又は、おおよそ３Ｈｚとおおよそ５０Ｈｚ（即ち、発作を誘発すると一般に考えられている周波数範囲）との間のパルス周波数で動作するパルス光源である。キセノンフラッシュランプは、これらの効果の一方又は両方を誘発するパラメータでしばしば動作し、且つ、従って、フラッシュランプが動作するパラメータに依存して、殺菌源２２がキセノンフラッシュランプである場合、チャンバ２４が不透明であることは、有利であり得る。しかしながら、他の実施形態において、チャンバ２４は、可視光に対して透明であってもよく（例えば、チャンバ２４は、ガラスから成ってもよい）、これは、殺菌源２２がキセノンフラッシュランプを含む実施形態においてさえも当てはまる。特に、これまでに次のことが分かっている。即ち、５０Ｈｚ以上の周波数で動作するキセノンフラッシュランプは、精神を不安にするものとは一般に考えられていない強度の光を発生させ、且つ、従って、殺菌源２２は、幾つかの場合において、チャンバ２４が可視光に対して透明である場合、キセノンフラッシュランプ（又は、任意の他のタイプの殺菌源）を含む、ということである。連続的な可視光の集合的流れ、又は５０Ｈｚ以上の周波数でパルス化される可視光の集合的流れを生じさせるように構成されたランプアセンブリの他の構成と同様に、５０Ｈｚ以上の周波数で動作するキセノンフラシュランプの説明は、２０１４年９月１８日に出願された米国特許出願第６２／０５２，０３６号に開示されており、該米国特許出願の内容は、あたかも本明細書で完全に定められたかのように、参照によって組み込まれる。米国特許出願第６２／０５２，０３６号に記載のランプ及びランプのシステムの任意のものは、本明細書に記載の装置のための殺菌源として使用してもよいことに留意されたい。
【００４０】
上で説明されたように、殺菌源２２及び／又はチャンバ２４は、装置２０内で位置調整可能であってもよく、且つ、より具体的には、装置２０内で直線的に変位可能であってもよく、その結果として、殺菌源２２は、チャンバ内に包含され、且つ、装置のためのそれぞれ異なるモードの動作に対して、少なくとも部分的にチャンバの外に配置されるであろう。更に上で説明されたように、異なるモードの動作は、装置の外部で実施される部屋／エリアの消毒プロセス、及び／又は装置の内部で実施される物体及び／又は空気の消毒プロセスである。そのような二重の機能を容易にするために、チャンバ２４は、殺菌源２２と直線的な配列にあるポート４２を含み、且つポート４２は、寸法的に殺菌源２２を受け入れるように構成される。加えて、プログラム命令２８は、プロセッサ３０によって実行可能であるコードを含み、該コードは、殺菌源がチャンバ２４の外に延在する場合に、殺菌源２２を動作させるべく、電源回路２６を作動させることを目的としたものである。このことは、図１における発射された殺菌剤４４によって、及びプログラム命令２８に含めてもよい命令の幾つかを描く、図２におけるブロック５０によって、示される通りである。更に、プログラム命令２８は、プロセッサ３０によって実行可能であるコードを含み、該コードは、殺菌源がチャンバ２４内にすっぽり包まれる場合に、殺菌源２２を動作させるべく、電源回路２６を作動させることを目的としたものである。このことは、図１における発射された殺菌剤４６によって、及び図２におけるブロック６０によって示される通りである。幾つかの場合において、プログラム命令２８は、プロセッサ３０によって実行可能であるコードを含んでもよく、該コードは、殺菌源が、安全警戒のために所定の距離だけチャンバ２４の外に延在する場合に、殺菌源２２を動作させるべく、且つ／又は、部屋／エリアの消毒プロセスのために、最適な殺菌剤分散を保証するべく、電源回路２６を作動させることを目的としたものである。
【００４１】
幾つかの実施形態において、殺菌源２２がチャンバ２４の外に延在する場合に、電源回路２６を作動させるためのプログラム命令２８は、殺菌源２２がチャンバ２４の中にすっぽり包まれる場合に、殺菌源２２を動作させるために、電源回路２６を作動させるためのプログラム命令と同じ命令を含んでもよい。しかしながら、他の場合において、殺菌源２２がチャンバ２４の外に延在するかどうか、又はチャンバ２４の中にすっぽり包まれるかどうかに関して、プログラム命令２８は、電源回路２６を作動させるために、異なる命令を含んでもよい。例えば、プログラム命令２８は、幾つかの実施形態において、プロセッサ３０によって実行可能であるコードを含んでもよく、該コードは、図２のブロック５２及びブロック６２にそれぞれ表されるように、殺菌源２２がチャンバ２４によってすっぽり包まれない場合、及び殺菌源２２がチャンバ２４によってすっぽり包まれる場合に、殺菌源２２に異なる量の電力をそれぞれ供給するべく、電源回路２６を作動させることを目的としたものである。特定の実施形態において、プログラム命令２８は、プロセッサ３０によって実行可能であるコードを含んでもよく、該コードは、殺菌源２２がチャンバ２４によってすっぽり包まれない場合よりも、殺菌源２２がチャンバ２４によってすっぽり包まれる場合に、殺菌源２２により少ない量の電力を供給するべく、電源回路２６を作動させることを目的としたものである。特に、チャンバ２４内で実施される空気及び物体の消毒プロセスは、殺菌源２２がチャンバ２４の外にある場合に実施される部屋／エリアの消毒プロセスよりも、それらの標的媒質を消毒するのに、大幅に短い距離の要求を有し、且つ、従って、殺菌剤は、同程度に高い強度で発射される必要はない。
【００４２】
殺菌源が、チャンバ２４内にすっぽり包まれない場合、又はチャンバ２４内にすっぽり包まれる場合、殺菌源２２に電力を供給するための電源回路２６を作動させることに関する別の変更は、図２のブロック５４及びブロック６４にそれぞれ表されるように、電源回路２６が作動する持続期間における変更を含む。特に、チャンバ２４内での物体消毒プロセスは、部屋／エリアの消毒プロセスに対して、チャンバ２４内の物体上の細菌汚染における望ましい減少を達成するのに、より少ない時間を要求し得る。そのため、プログラム命令２８は、幾つかの実施形態において、プロセッサ３０によって実行可能であるコードを含んでもよく、該コードは、殺菌源２２がチャンバ２４によってすっぽり包まれない場合よりも、殺菌源２２がチャンバ２４によってすっぽり包まれる場合には、より短い時間の間、殺菌源２２に電力を供給するべく、電源回路２６を作動することを目的としたものである。更に他の実施形態において、プログラム命令２８は、プロセッサ３０によって実行可能であるコードを含んでもよく、該コードは、殺菌源２２がチャンバ２４によってすっぽり包まれない場合よりも、殺菌源２２がチャンバ２４によってすっぽり包まれる場合に、より長い時間の間、殺菌源２２に電力を供給するべく、電源回路２６を作動することを目的としたものである。特に、装置の内部で実施される空気の消毒プロセスは、装置の外部で実施されるエリア／部屋の消毒プロセスよりも長い持続時間の間、運転してもよく、その理由は、内部の空気消毒プロセスの間、所与の時間の間に消毒される空気の体積は、外部のエリア／部屋の消毒プロセスにおけるよりも、かなり小さいからである。
【００４３】
殺菌源が、チャンバ２４によってすっぽり包まれない場合、又はチャンバ２４によってすっぽり包まれる場合、殺菌源２２に電力を供給するべく、電源回路２６を作動させることに関する更に別の変更は、図２のブロック５６及びブロック６６にそれぞれ表されるように、電源回路２６がフラッシュランプ（即ち、殺菌源２２がフラッシュランプである場合）を動作させるパルス周波数における変更を含む。特に、上で述べたように、チャンバ２４内で実施される空気及び物体の消毒プロセスに対して発射される殺菌剤は、殺菌源２２がチャンバ２４の外にある場合に実施される部屋／エリア消毒のプロセスと同程度の強度である必要はない。フラッシュランプにおけるより強度の低いパルスは、一般に、フラッシュランプが、より高い周波数でパルス化されることを可能にするが、その理由は、より少ない累積エネルギーしか必要とされないからである。空気及び物体の消毒プロセスのための、チャンバ２４内の比較的小さな体積を仮定すれば、殺菌光のより高い周波数は、望ましい消毒目的を達成するための時間を短くし得、且つ／又はそのようのプロセスに対する殺菌効率を増加させ得る。従って、プログラム命令２８は、幾つかの実施形態において、プロセッサ３０によって実行可能であるコードを含んでもよく、該コードは、殺菌源２２がチャンバ２４によってすっぽり包まれない場合よりも、殺菌源２２がチャンバ２４によってすっぽり包まれる場合に、より高い周波数で殺菌源２２にトリガ電圧を印加するべく、電源回路２６を作動させることを目的としたものである。
【００４４】
任意の場合において、装置２０は、殺菌源２２がチャンバ２４内にすっぽり包まれるかどうかを判定するための、及び／又は殺菌源２２がチャンバ２４内にすっぽり包まれないかどうかを判定するための、センサ３８を含んでもよい。例えば、センサ３８は、幾つかの実施形態において、殺菌源２２がセンサ３８と接触する際に、殺菌源２２がチャンバ２４の中に包含されるような位置で、チャンバ２４内に固定して配置してもよい。そのような場合において、センサ３８は、殺菌源２２がセンサに接触していない場合、殺菌源２２がチャンバ２４の中に包含されないことを更に指示する位置に配置してもよい。他の場合において、センサ３８は、殺菌源２２に取り付けてもよく、且つ、図１に示されるように、殺菌源２２が、チャンバ内にすっぽり包まれる、及びチャンバ内にすっぽり包まれないことをそれぞれ指示する位置で、チャンバ２４内に又はチャンバ２４上に配設された接点に接触するように構成してもよい。なお更に、センサ３８は、チャンバ２４の中に、又はチャンバ２４の外のある位置に配設してもよく、その場合、殺菌源２２上の接点に接触するに際して、殺菌源の少なくとも一部分は、チャンバから外に延在し、且つ、幾つかの場合には、所定の距離だけ延在する。前述のセンサ３８の構成は例であり、且つセンサ及び／又はセンサシステムの他の構成は、殺菌源２２がチャンバ２４内にすっぽり包まれるかどうかを判定するために、及び／又は殺菌源２２がチャンバ２４内にすっぽり包まれないかどうかを判定するために、装置２０内で付加的に又は代替的に使用してもよい、ことに留意されたい。例えば、センサ３８は、接触センサ技術に限定されず、むしろ、光ビームセンサ技術又は他のタイプのセンサを含むことが可能であろう。
【００４５】
上で述べたように、装置２０は、センサ４８を更に含んでもよい。センサ４８は、運動センサ、熱センサ、ドップラーセンサ、又は写真認識センサのような、装置２０の周囲内の移動及び／又は、部屋／エリア占有を検出するように構成されたセンサである。図１には、基底部３６に取り付けられたセンサ４８が示されてはいるが、装置２０は、そのような配置に限定されない。特に、センサ４８は、装置２０の任意の部分に結合してもよい。更に、装置２０は、単一の運動センサ及び／又は、部屋／エリア占有センサを有することに限定されない。むしろ、装置２０は、幾つかの実施形態において、複数の運動センサ及び／又は、部屋／エリア占有センサを含んでもよく、それらの全ては、同じタイプのものであってもよいし、又は異なるタイプのものを含んでもよい。
【００４６】
図１に示されると共に上で述べたように、装置２０は、ユーザインターフェース３２を含んでもよく、且つ、幾つかの場合には、遠隔ユーザインターフェース３４を含んでもよい。遠隔ユーザインターフェース３４は、様々なデバイスの中に統合してもよく、該様々なデバイスは、携帯通信デバイス（即ち、ページャ、電話器など）及びコンピュータを含むが、これらに限定されない。一般に、ユーザインターフェース３２及び遠隔ユーザインターフェース３４は、装置２０の動作に影響を及ぼすための入力制御器を含んでもよく、該入力制御器とは、ユーザが装置２０の動作を開始すると共に終結させることを可能にするための、開始ボタン及び停止ボタンのようなものであるが、これらに限定されない。他の情報をユーザインターフェース３２及び遠隔ユーザインターフェース３４に入力するための構成と同様に、装置２０の動作に影響を及ぼすための入力制御器のための構成は、タッチセンサ手段、聴覚手段、及びグラフィカルユーザインターフェースを含む当技術分野で既知の構成の任意のものを含んでもよいが、これらに限定されない。以下でより詳細に定められるように、ユーザインターフェース３２及び／又は遠隔ユーザインターフェース３４は、幾つかの実施形態において、装置によって実施される異なる消毒モードを選択することを可能にする入力制御器を含んでもよい。特に、ユーザインターフェース３２及び／又は遠隔ユーザインターフェース３４は、主にチャンバ２４の内部で（物体及び／又は空気のような）媒質を消毒するための消毒モード、及び主にチャンバ２４の外部で媒質を消毒するための更なる消毒モードを選択することを可能にする入力制御器を含んでもよい。
【００４７】
任意の場合において、ユーザインターフェース３２、及び幾つかの場合において遠隔ユーザインターフェース３４は、信号を受け取ると共に、そのような信号に関する情報を有益な方法でユーザに出力するように、付加的に構成してもよい。情報を出力するための構成は、当技術分野で既知である、任意の視覚的ディスプレイ又は聴覚手段を含んでもよい。ユーザインターフェース３２及び／又は遠隔ユーザインターフェース３４による情報出力の例は、特定の消毒モードに影響を及ぼすべく、殺菌源２２及び／又はチャンバ２４をある位置へ移動させるための通知を含んでもよいが、しかしこれに限定されない。他の場合において、殺菌源２２及び／又はチャンバ２４の移動は、自動化してもよく、且つ、ユーザインターフェース３２及び／又は遠隔ユーザインターフェース３４を介して、選択された消毒モードに応じて作動させてもよい。
【００４８】
上で説明されたように、装置２０は、実施されるべき異なるモードの動作、具体的には、装置の外部での部屋／エリア消毒プロセス、及び装置の内部での物体及び／又は空気の消毒プロセス、を可能にするように構成される。そのような構成の幾つかは、上で説明されたように、殺菌源２２がチャンバ２４の外にある場合、有効な量の光を部屋の周囲に広範囲に分布させるための、殺菌源２２及び／又は装置２０の他の部品の構成を含む。上で説明されたように、付加的な構成は、殺菌源２２を受け入れるためのチャンバ２４内のポートと、殺菌源がチャンバ２４内にすっぽり包まれるか、又はチャンバの外にあるかのいずれかである場合に、殺菌源２２を動作させるべく、電源回路２６を作動させるためのプログラム命令２８と、を含む。特に装置の内部での物体及び／又は空気の消毒プロセスを容易にするための他の構成は、図３及び図４を参照して、示すと共に説明する。
【００４９】
特に、図３は、チャンバ２４の内部に物体を装填するための装填ポート７０及びドア７２を含む、チャンバ２４の構成例を図示する。幾つかの場合において、チャンバ２４は、図３に示されるような棚７４、又は物体を置くための、チャンバ内部にある他の幾つかの支持構造物（例えば、穴があけられたかご（複数可））を含んでもよい。任意の数の支持構造物（例えば、棚及び／又はかご）を使用してもよい。幾つかの実施形態において、特に殺菌源２２が殺菌光源を含む場合、支持構造物は、支持構造物に接触する表面が消毒されるように、殺菌源２２によって発生される殺菌光に対して透明な材料から成ってもよい。任意の場合において、支持構造物は、殺菌源２２が占有するはずの領域を除いて、チャンバ２４内の任意の場所に配置してもよい。幾つかの実施形態において、支持構造物は、ドア７２の内側に取り付けてもよい。任意の場合において、チャンバ２４は、幾つかの実施形態で、特にチャンバ２４の異なる側面上に、複数の装填ポート及びそれに伴うドアを含んでもよい。例えば、チャンバ２４は、幾つかの場合において、チャンバの反対側に、装填ポート及びそれに伴うドアを含んでもよい。ドア７２は蝶番ドアとして示されてはいるが、本明細書に記載の装置は、これに限定されないことに留意されたい。特に、ドア７２は、代わりに、滑りドア又は取り外し可能な蓋であってもよい。同様に、ポート４２上方の、図３に示されるドア７６は、蝶番又は、滑りドア若しくは取り外し可能な蓋であってもよい。任意の場合において、ドア７２及び／又はドア７６は、手動で動かしてもよく、且つ／又は装置２０は、ドアの移動を自動化するための、１つ以上のアクチュエータを含んでもよい。
【００５０】
装置２０の内部の空気消毒プロセスを容易にするための更に別の構成は、図４におけるチャンバ２４の構成例で示されるように、チャンバ内に空気移動デバイスを含むことである。特に、図４は、空気移動デバイス８０及び空気出口８２を含むチャンバ２４の内部の断面図を図示する。一般に、空気移動デバイス８０は、装置２０の周囲から空気を引き込むように構成され、且つ空気出口８２は、チャンバ２４内部の殺菌源２２から発生される殺菌剤がチャンバ２４から漏れることを防止するためのフィルタを含む。図４のチャンバ２４の中の空気移動デバイス８０は、チャンバ２４内に配置されるか、又は空気入口と一直線になっている。しかしながら、他の実施形態において、空気移動デバイス８０は、チャンバ２４に対する空気入口（複数可）から離れて配置してもよい。例えば、空気移動デバイス８０は、空気出口８２に隣接して配置してもよい。更に、空気入口（複数可）、空気移動デバイス８０、及び空気出口８２の配置は、チャンバ２４の中のそれらの量と同様に、図４に描かれているのとは異なってもよい。特に、チャンバ２４は、任意の数の空気入口、空気移動デバイス、及び空気出口を含んでもよく、且つそれらは、チャンバ２４及び装置２０の設計仕様書に依存して、チャンバ２４の側壁、床、及び天井に沿う任意の位置に配置してもよい。
【００５１】
空気移動デバイス８０及び／又は空気入口が、チャンバ２４の床の中に配置される場合、装置２０は、空気移動デバイス８０及び／又は空気入口が、装置の周囲の空気に容易にアクセスすると共に、周囲から空気を引き込むことが可能なように構成されることに、更に留意されたい。例えば、基底部３６は、そのような場合、装置が配置される部屋／エリアの床の上方で、環状の形で吊るしてもよく、又は基底部３６は、一組の支持脚部（例えば、テーブルの脚と同様な）を含んでもよい。代わりに、チャンバ２４は、基底部３６の上方で吊るしてもよい。任意の場合において、チャンバ２４に入ってくる空気をフィルタ処理することは、チャンバ２４の中の殺菌源２２の殺菌効率を改善するかもしれず、且つ、従って、幾つかの実施形態において、チャンバ２４の入口（複数可）は、フィルタを含んでもよい。幾つかの場合において、装置２０は、チャンバ２４内に、及び／又はチャンバ２４の空気入口（複数可）に隣接して（即ち、入口（複数可）の空気取り入れ口又は空気排気口に隣接して）、除湿器及び／又は冷却器を含んでもよいが、これは、殺菌源２２によって、チャンバの中で消毒された空気の湿度及び温度を制御するためである。特に、湿度及び／又は温度を制御することは、フィルタによる空気中の微粒子物質の除去に加えて、又は微粒子物質の除去の代わりに、チャンバ２４の中の殺菌源２２の殺菌効率を改善させ得る。任意の場合において、空気移動デバイス８０は、ファン又はタービンを含む、空気の流れを引き起こすように構成された任意のデバイスを含んでもよいが、これらに限定されない。タービンが、本明細書に記載の装置に使用される場合、タービンは、装置の１つ以上の部品に電力を供給するのに使用してもよく、該装置の１つ以上の部品は、本明細書に記載の部品の任意のもの、又は装置のバッテリを含む。
【００５２】
図４は、殺菌源２２がチャンバ２４の中に包含される場合、ポート４２を閉じるための、図３のドア７６に対する変形例を更に図示する。特に、図４は、ポート４２の周囲に沿う密閉機構８４を図示する。上で説明されるように、殺菌源２２を備えるハウジングは、チャンバ２４の中に引き込まれるに際して、密閉機構８４に接触して、滑りながらポート４２を通過してもよい。そのような場合、装置２０は、ハウジングの上部が密閉機構８４に接触した状態にあるように構成してもよく、その結果として、空気及び／又は物体の消毒プロセスを実施するために、殺菌源２２がチャンバ２４内の決められた位置に置かれた場合、ポート４２は閉じられる。幾つかの実施形態において、ポート４２を閉じるのに使用されるデバイス（図３を参照して上で説明されたようなドア、又は図４を参照して、以下でより詳細に説明されるような、殺菌源２２を備えるハウジングの上部のようなもの）は、殺菌剤がチャンバ２４から漏れるのを防止するためのフィルタを有する空気出口を含んでもよい。殺菌源２２が紫外ランプを含む場合、ポート４２を閉じるのに使用されるデバイスは、図５を参照して以下で説明されるような、オゾンフィルタを含んでもよい。
【００５３】
幾つかの実施形態において、空気移動デバイス８０及び／又は空気入口が、チャンバ２４の反対側の近くに配置される場合、チャンバ２４は、ポート４２とチャンバ２４の反対側との間に延在するプレナムを含んでもよい。一般に、プレナムは、空気が殺菌源に近接した決まった経路で送られるように、殺菌源の長さに沿った有限量のスペースはもちろんのこと、殺菌源２２を収容するのに合わせた大きさで作られる。チャンバ２４の中にそのようなプレナムを有することによって、チャンバを通る、所与の流量の空気に対して、消毒される空気の体積は減少するであろう。しかし、そのようなプレナムを有することは、プレナムが使用されない実施形態と比較して、より高い殺菌効率を提供し得る。殺菌源２２が殺菌光源を含む場合、プレナムは、殺菌源２２によって発生される殺菌光に対して透明な材料から成ってもよく、その結果として、プレナムの外で、チャンバ２４の中に置かれた物体は、空気がプレナム内で消毒されるのと同時に、消毒され得る。
【００５４】
プレナムを介した空気消毒及び物体消毒のための、チャンバ２４の分離部分は、幾つかの場合において、物体がチャンバを通る空気流によって動かされることを防ぐのに有利であり得る。特に、幾つかの場合において、チャンバ２４を通る空気の流量は、チャンバ２４内に置かれた物体を移動させるのに十分高くあり得、幾つかの実施形態において、物体の移動は、物体、チャンバ及び／又は殺菌源２２を損傷させるのに十分であり得る。しかしながら、更に他の実施形態において、チャンバ２４は、プレナムを含まなくてもよい。特に、チャンバ２４を通る空気流は、チャンバの中の物体を移動させるのに十分大きくないかもしれず、又はチャンバ２４は、物体消毒のために使用されなくてもよい。更に他の場合において、殺菌源２２は、殺菌剤の供給源を取り囲むハウジングの一部として、プレナムを含まなくてもよく、このことは、図５における殺菌源２２の構成例を参照して、以下で説明される通りである。
【００５５】
図３及び図４に描かれた特徴の任意のものは組み合わされ得、且つ／又は特徴の変形したものが使用され得る、ことに留意されたい。例えば、チャンバ２４は、幾つかの場合において、装填ポート、ドア、及び空気移動デバイスを有する。加えて又は代わりに、チャンバ２４は、図３に描かれたもの以外の、異なるサイズ、形状、又は向きの棚を有してもよい。従って、チャンバ２４は、図３及び図４の描写に限定されない。更に、チャンバ２４に対して、図１で説明された部品の任意のものは、図３及び図４を参照して説明される構成に含めてもよい、ことに留意されたい。例えば、図３及び図４を参照して説明されるチャンバ構成の任意のものは、電源回路２６、プログラム命令２８、プロセッサ３０、ユーザインターフェース３２、センサ３８、及び／又は支持部材４２を含んでもよい。上述の部品は図３及び図４に示されないが、これは図を簡単化するためであり、特に、装置内部での物体消毒及び／又は空気消毒を容易にし得る部品構成を強調するためである。
【００５６】
上で述べたように、図５は、殺菌剤の供給源を取り囲むハウジングの一部としてプレナムを有する殺菌源２２の構成を図示する。より具体的には、図５は、周辺障壁９２内に、且つ空気入口９１と空気移動デバイス９４との間に、配設された殺菌光源９０を有する殺菌源２２の構成例を図示し、この構成は、殺菌光源９０の周りにプレナム９３を形成する。周辺障壁９２は、殺菌光源９０によって発生される殺菌光に対して透明である材料から成り、そのため、殺菌光は、殺菌源２２の外へ伝達され得る。空気移動デバイス９４は、空気入口９１を通して、プレナム９３の中に空気を引き込み、且つ空気出口９６を通して放出する。代替的実施形態において、空気移動デバイス９４は、空気入口９１に近接して配置してもよい。任意の場合において、空気入口９１は、入ってくる空気の流れから特定の物質を除去するためのフィルタを含んでもよい。図４を参照して上で述べたように、空気から微粒子物質を除去することは、装置２０内で実施される空気消毒プロセスの殺菌効率を改善し得る。図４のチャンバ２４を参照して説明された空気入口と同様に、殺菌源２２は、幾つかの場合、その空気入口に隣接して（即ち、入口の空気取り入れ口、又は空気排気口に隣接して）、除湿器及び／又は冷却デバイスを含んでもよいが、これは、フィルタによって空気中の微粒子物質を除去することに加えて、又は該微粒子物質を除去することの代わりに、殺菌源２２の殺菌効率を改善するために、入ってくる空気の湿度及び温度を制御することを目的としている。
【００５７】
幾つかの場合において、空気出口９６は、オゾン低減デバイスを含んでもよく、これは、オゾンを２価の酸素に変換する遊離基触媒を生じさせる炭素フィルタ又はデバイスのようなものである。特に、オゾンは、幾つかの場合において、殺菌光源９２の使用に起因する副産物として作り出されるが、このことは、特に、もしランプが、おおよそ２４０ｎｍよりも短い波長の紫外光を発生させる場合に当てはまる。その理由は、そのようなＵＶ光のスペクトルが、酸素分子の酸素原子を解離させ、これがオゾン発生プロセスを開始させるからである。オゾンは、健康及び空気の質に有害な要因として知られており、且つ、従って、デバイスによってそれを解放することは規制される。オゾンは有効な殺菌作用因子で、しかも脱臭剤であることもまた知られており、もし放電ランプによって発生されるはずのオゾン量が、オゾンに対する局所／領域の曝露限界よりも低い場合には、空気出口９６からオゾン低減デバイスを排除することは、有益で有り得る。更に他の場合において、空気出口９６は、オゾン低減デバイスを有する部分及びオゾン低減デバイスが無い部分と、更には空気流量調節器とを有してもよく、該空気流量調節器は、動作パラメータ、及び／又は装置２０によって使用される消毒プロセスのモードに依存して、異なる部分を通して空気をそれぞれ決まった経路で送るためのものである。そのような特徴を有する空気出口の例は、図９ａから図１０を参照して、以下でより詳細に説明される。
【００５８】
空気出口９６がオゾン低減デバイスを含むかどうかには関係なく、幾つかの場合には、空気出口９６が光を遮るための空気フィルタを含むことは有益であり得る。特に、図４を参照して、上で説明されるように、殺菌源２２の最上部が、チャンバ２４のポート４２を閉じるために使用される実施形態において、殺菌光が空気出口９６によって遮られるようにすることは、一般に有益であろう。このようにして、チャンバの内部で実施される消毒プロセスの間、殺菌光源９０によって発生される殺菌光は、チャンバ２４から放出されないようにしてもよい。更に他の実施形態において、空気出口９６は、光を遮るための任意の空気フィルタを有する必要はない。特に、装置２０は、幾つかの場合において、殺菌剤の供給源を取り囲むハウジングを含めて、チャンバ２４内に殺菌源２２をすっぽり包むように構成してもよい。そのような場合、チャンバの内部で実施される消毒プロセスの間、殺菌光源９０によって発生される殺菌光は、チャンバ２４から放出されないようにしてもよいが、しかし、チャンバの外部で実施される消毒プロセスの間、装置２０の周囲に伝達されてもよい。任意の場合において、図５の殺菌源２２内の空気入口９１、空気移動デバイス９４、周辺障壁９２、及び空気出口９６の目的は、二重であってもよく、ここで二重とは、具体的には、チャンバの内部、又は外部のいずれかで実施される消毒プロセスの間、それらが、空気消毒を可能にすること、及び、殺菌光源９０を冷却することにも合わせて使用されてもよい、という意味である。更に、図５における殺菌源２２の構成は、チャンバの内部で実施される消毒プロセスの間、物体が動かされないようにしたものでもよく、これは、図４を参照して、チャンバ内にプレナムを組み込むことに対して、上で説明されたのと同様である。
【００５９】
前述のプレナム構成に加えて、図５は、チャンバのポート４２を閉じるのに使用され得る、殺菌源２２の特徴を図示する。特に、図５は、殺菌源２２の上部から外に突出する突起９８を図示する。一般に、殺菌源２２がチャンバ２４の中に引き込まれる、且つ／又はチャンバ２４が殺菌源２２をすっぽり包むために移動される場合、突起９８は、ポート４２に隣接してチャンバ２４の外側部分に接触してもよく、それによって効果的にポート４２を閉じる。幾つかの場合において、ポート４２に隣接するチャンバ２４の部分は、突起９８の少なくとも下面を受け入れるための、くぼみを含んでもよい。しかしながら、他の実施形態において、殺菌源２２は、突起９８が無くてもよい。特に、殺菌源２２は、上で説明されたように、ポート４２と噛み合うための、その上側部分の周りに周辺密閉機構を、代わりに含んでもよい。更に他の場合において、チャンバ２４は、ポート４２の周辺に沿って密閉機構を含んでもよく、又はチャンバ２４は、それぞれ図４及び図３を参照して上で説明されたような、ポート４２を閉じるためのドアを含んでもよい。更に、突起９８は、図５に描かれた殺菌源２２の構成に対して排他的ではないことに留意されたい。むしろ、殺菌源２２の任意の構成に関して、突起９８を含んでもよい。また、突起は、図５に描かれた台形的な構成に限定される必要はない。
【００６０】
図５は、プレナム９３内の付加的な殺菌源９９を更に図示する。図１４を参照して以下でより詳細に説明されるように、本明細書で考えられる装置は、幾つかの実施形態において、プログラム命令を含み、該プログラム命令は、装置の動作の異なるモード（具体的には、消毒プロセスが、装置の内部で実施されるかどうか、又は装置の外部で実施されるかどうか）のための、異なるサブセットの殺菌源を動作させることを目的としたものである。そのため、本明細書に記載の装置は、幾つかの実施形態において、複数の殺菌源を含んでもよい。幾つかの場合において、本明細書に記載の装置は、異なるタイプの殺菌源を含んでもよい。特に、本明細書に記載の装置は、幾つかの実施形態において、自身が発生させる殺菌剤のタイプが異なる殺菌源（即ち、液体、蒸気、気体、プラズマ、又は殺菌光）を含んでもよい。加えて又は代わりに、本明細書に記載の装置は、幾つかの実施形態において、自身がその殺菌剤を発生させる方法が異なる殺菌源を含んでもよい。例えば、本明細書に記載の装置は、殺菌放電ランプ及び殺菌発光ダイオードランプを含んでもよい。更に他の実施形態において、本明細書に記載の装置は、自身が発生させる光の光学特性が異なる殺菌光源を、付加的に又は代替的に含んでもよい。例えば、本明細書に記載の装置は、キセノン放電ランプ及び水銀放電ランプを含んでもよい。
【００６１】
付加的な殺菌源９９が、図５において、周辺障壁９２の内側下部側壁に沿って示されてはいるが、それらの位置は、必ずしも限定されないことに留意されたい。特に、それらの殺菌源は、プレナム９３の内部の任意の場所に位置してもよく、該任意の場所は、その内側側壁の任意の部分又は、空気移動デバイス９４に沿った任意の部分、若しくは放電ランプ９０を支持する基底部に沿った任意の部分を含む。その上、付加的な殺菌源９９は、図５に描かれているように、殺菌光源９０よりも小さいことに限定されない。むしろ、付加的な殺菌源９９の１つ以上は、殺菌光源９０と同じサイズか、又は殺菌光源９０より大きくてもよい。更に、付加的な殺菌源９９は、図５に描かれた殺菌源２２の構成に対して、又は殺菌剤の供給源の周りにハウジングを有する殺菌源に対して排他的ではない。特に、チャンバ２４は、付加的な殺菌源を、付加的に又は代替的に含んでもよい。しかしながら、更なる場合において、装置２０は、任意の付加的な殺菌源を含まなくてもよい（即ち、装置２０は、幾つかの場合において、単一の殺菌源を含んでもよい）。
【００６２】
空気移動デバイスが、（図４及び図５を参照して上で説明されるように）殺菌源２２及び／又はチャンバ２４の中に組み込まれる実施形態において、プログラム命令２８は、プロセッサ３０によって実行可能であるコードを含んでもよく、該コードは、図６におけるブロック１００によって示されるように、殺菌源２２がチャンバ２４内にすっぽり包まれる場合に、空気移動デバイスを作動させることを目的としたものである。幾つかの場合において、特に、しかし殺菌源２２が、自身の中に組み入れられた空気移動デバイスを有する場合に限定されるものではないが、プログラム命令２８は、プロセッサ３０によって実行可能であるコードを付加的に含んでもよく、該コードは、図６におけるブロック１０２によって示されるように、殺菌源２２がチャンバ２４の外に延在する場合に、空気移動デバイスを作動させることを目的としたものである。幾つかの実施形態において、殺菌源２２がチャンバ２４の外に延在する場合に、空気移動デバイスを作動させるためのプログラム命令２８は、殺菌源２２がチャンバ２４の中にすっぽり包まれる場合に、空気移動デバイスを作動させるのと同じ命令を含んでもよい。より具体的には、空気移動デバイスは、殺菌源２２がチャンバ２４の外に延在する場合、及び殺菌源２２がチャンバ２４の中にすっぽり包まれる場合、同じ速度で動作するべく、作動させてもよい。
【００６３】
他の場合において、プログラム命令２８は、殺菌源２２が、チャンバ２４の外に延在するかどうか、又はチャンバ２４の中にすっぽり包まれるかどうかに関して、空気移動デバイスを作動させるための、異なる命令を含んでもよい。例えば、プログラム命令２８は、幾つかの実施形態において、プロセッサ３０によって実行可能であるコードを含んでもよく、該コードは、図６のブロック１０４及びブロック１０６にそれぞれ表されるように、殺菌源２２がチャンバ２４によってすっぽり包まれる場合、及び殺菌源２２がチャンバ２４によってすっぽり包まれない場合に、それぞれ異なる速度で動作するべく、空気移動デバイスを作動させることを目的としたものである。特定の実施形態において、プログラム命令２８は、プロセッサ３０によって実行可能であるコードを含んでもよく、該コードは、殺菌源２２がチャンバ２４によってすっぽり包まれない場合よりも、殺菌源２２がチャンバ２４によってすっぽり包まれる場合に、より高い速度で動作するべく、空気移動デバイスを作動させることを目的としたものである。特に、チャンバ２４内で実施される空気消毒プロセスは、殺菌源２２がチャンバ２４の外に延在する場合に（即ち、装置２０の外部へ殺菌剤を伝達することによって）行われるような、装置２０の周囲の空気を消毒するという付加された利益を有さない（即ち、空気は装置２０の中に引き入れられない）。従って、殺菌源２２がチャンバ２４内にすっぽり包まれる場合、空気移動デバイスの速度を増加させるのは、有利で有り得る。
【００６４】
上で述べたように、図５に描かれた殺菌源２２の空気出口９６は、幾つかの実施形態において、オゾン低減デバイスを含んでもよく、且つ、幾つかの場合において、オゾン低減デバイスを備える第１通路、及びオゾン低減デバイスを含まない第２通路を通して、それぞれ空気を決まった経路で送るための空気流量調節器を更に含む。一般に、第２通路は、オゾン低減デバイスが無い、又は第１通路におけるオゾン低減デバイスよりも、実質的に低い効率を有するオゾン低減デバイスを備える、のいずれかである。幾つかの代替的実施形態において、（図３に描かれたドア７６のような）チャンバ２４のポート４２を覆うドアは、同様に、オゾン低減デバイスを有する部分、及びオゾン低減デバイスを有さない部分、並びに、幾つかの場合には、空気流量調節器を含んでもよい、ことに留意されたい。特に、殺菌源２２がＵＶ光源を含む場合において、殺菌源２２がチャンバの外に延在する場合、及び装置２０が、引き払った部屋／エリア内で動作する場合には、ランプから生じたオゾンは、フィルタ処理されなくてもよい。反対に、殺菌源２２がチャンバ２２の中にすっぽり包まれた状態で、占有された部屋の中で装置２０が動作する場合、ＵＶ光から生じたオゾンは、規制曝露限界のために、及び／又は部屋を占有する個人による曝露の懸念のために、低減させてもよい。そのため、ポート４２を覆うドアが、オゾン低減デバイス及び、幾つかの場合において、そのような部品を含む殺菌源２２の代わりに、又は該殺菌源２２に加えて、空気流量調節器を含むことは、実現可能であり得る。
【００６５】
任意の場合において、オゾン低減デバイスを通して、及びオゾン低減デバイスを通さずに、空気をそれぞれ決まった経路で送るための空気流量調節器は、一般に、動作パラメータ、及び／又は装置２０によって使用される消毒プロセスのモードに依存して、作動／動作させてもよい。例えば、プログラム命令２８は、幾つかの実施形態において、空気流量調節器を制御するための、プロセッサ３０によって実行可能であるコードを含んでもよく、その結果として、図７における図ロック１１０及びブロック１１２によってそれぞれ示されるように、殺菌ランプがチャンバの中にすっぽり包まれる場合は、オゾン低減デバイスを備える第１通路を通して、及び、殺菌ランプがチャンバの外に延在する場合は、オゾン低減デバイスを含まない第２通路を通して、空気は決まった経路で送られる。付加的に又は代替的に、プログラム命令２８は、空気流量調節器を制御するための、プロセッサ３０によって実行可能であるコードを含んでもよく、その結果として、図７におけるブロック１１４及びブロック１１６によってそれぞれ示されるように、消毒プロセスの第１部分の間は、オゾン低減デバイスを含まない第２通路を通して、空気は決まった経路で送られ、且つ消毒プロセスの第２部分の間は、オゾン低減デバイスを含む第１通路を通して、空気は決まった経路で送られる。
【００６６】
一般に、後者の方法において空気流量調節器を制御することによって、消毒サイクルの第１部分の間、オゾンが比較的高いレベル（例えば、脱臭効果及び消毒効果の増加を提供するレベル）で発生されることが可能になり、その後、消毒サイクルの終わりの部分の間、オゾン発生が減少し、その結果として、消毒されている部屋／エリアにおけるオゾン濃度は、設定値（例えば、ＯＳＨＡ−ＰＥＬ／ＴＬＶ限界）未満となる。そのようなコードは、引き払ったエリア／部屋の中での装置２０の動作にとっては、特に適し得る。しかし、同様に占有されたエリア及び部屋においても、そのようなコードを使用してもよく、特に、発生されるオゾンの、より高いレベルが占有者にとって有害でない場合に、このことは当てはまる。任意の場合において、該コードは、殺菌源２２がチャンバ２４の外に延在する場合、又は殺菌源がチャンバ２４内にすっぽり包まれる場合に（即ち、チャンバ２４の外部又は内部で消毒プロセスを実施するべく、装置２０を動作させる場合）、作動させてもよい。
【００６７】
幾つかの実施形態において、プログラム命令２８は、図７におけるブロック１１８によって示されるように、部屋／エリアにおけるオゾン濃度及び／又はオゾン発生の割合に基づいて、空気流量調節器を制御するためのコードを含んでもよい。特に、プログラム命令２８は、幾つかの場合において、部屋／エリアにおけるオゾン濃度及び／又はオゾン発生の割合に関する情報を部屋／エリアにおけるセンサから受け取るための、及びそれに応えて空気流量調節器を制御するためのコードを含んでもよく、その結果として、オゾン濃度又はオゾン発生のレベルが、所定の閾値よりも大きい場合、オゾン低減デバイスを備える第１通路を通して、空気は決まった経路で送られ、オゾン濃度又はオゾン発生のレベルが、所定の閾値未満か、又は異なる所定の閾値未満の場合、オゾン低減デバイスを含まない第２通路を通して、空気は決まった経路で送られる。幾つかの場合において、空気流量調節器の制御は、消毒プロセスに対して設定された運転時間に更に基づいていてもよく、具体的には、指定された時間に（例えば、消毒サイクルの終了時、又は消毒サイクルの終了後の設定された時間に）、部屋／エリアの中のオゾンの濃度が、設定された値未満となるように、部屋／エリア消毒プロセスの間で、いつオゾンを減少させるかを決定する。このように、オゾン発生の利益は、所定部屋に対して、増加される／最適化され得る。
【００６８】
幾つかの場合において、オゾンの濃度／発生の割合を分析するのに使用されるセンサ（複数可）は、装置２０に取り付けてもよい。しかしながら、他の場合において、センサ（複数可）は、装置２０から離して位置決めしてもよく、特に、部屋／エリアの中のオゾン濃度／発生の割合をより良く表す情報を得るために、装置から設定された距離をおいて位置決めしてもよい。付加的で任意選択的な特徴は、センサ（複数可）にオゾン劣化を監視させることであり、プログラム命令２８は、センサ（複数可）からの劣化情報に基づいて、部屋／エリアの中のオゾンの濃度が、指定された時間において、設定された値未満であるかどうかを判定し、任意選択的には、もし設定値未満でない場合、以前に決定された時間の前に、オゾン低減デバイスを通して空気を決まった経路で送るように空気流量調節器を制御して、指定された時間に、部屋／エリアの中のオゾンの濃度が設定値未満となるようにする。
【００６９】
本明細書に記載の装置で使用してもよい空気流量調節器の例は、図８から図１０に示される。他の空気流量調節器を、本明細書に記載の装置に対して考えてもよく、従って、空気流量調節器に対する選択肢は、図面における描写に限定されるべきではない、ことに留意されたい。更に、空気流量調節器が、空気を選択的に決まった経路で送る通路の構成は、装置間で変化してもよく、且つ図９ａから図１０に描かれたものとは異なっていてもよい。例えば、本明細書に記載の装置は、オゾン低減デバイスの付近にバイパスラインを含むことが可能であろう（又は、オゾン低減デバイスを備える通路）。他の構成も、同様に考えることができる。図８は、空気流量調節器１２０を示す。空気流量調節器１２０は、空気遮断性材料１２２の頂点部材と、頂点部材の端部から下方に延在する２つの側面部材とを含み、２つの側面部材の各々は、空気透過性材料１２４の上側部分と、空気遮断性材料１２２の下側部分とを有する。代替的構成は、空気流量調節器１２０に空気透過性材料の底部材を含ませることであろう。該底部材は、空気遮断性材料の頂点部材を有することに加えて、又は該頂点部材を有することの代わりに、その側面部分の底端部を接続する。一般に、空気遮断性材料１２２は、自身を貫く空気の通過を遮断するのに十分な任意の材料を含んでもよく、空気透過性材料１２４は、メッシュ又は浸透構造のように、自身を貫く空気を通過させる任意の構成を含んでもよい。空気遮断性材料１２２及び空気透過性材料１２４の部分は、図８に描かれるように、空気流量調節器１２０の、所与の側面部材に関して、同等である必要はない、ことに留意されたい。更に、空気流量調節器１２０の側面部材の空気遮断性材料は、頂点部材の空気遮断性材料と同じである必要はない。
【００７０】
任意の場合において、本明細書に記載の装置において空気流量を調節するために、空気流量調節器１２０は、その側面部材の空気透過性材料１２４を、オゾン低減デバイス（又はオゾン低減デバイスを含む通路）及びオゾン低減デバイスを含まない通路に整列させるべく、上下に移動される。図９ａ及び図９ｂは、オゾン低減デバイスを有する装置の構成例における、空気流量調節器１２０のそのような動作を図示する。特に、図９ａは、空気流量調節器１２０を有する装置２０の一部分（例えば、殺菌源２２の上部分における、又はチャンバ２４のポート４２を覆うドアにおける）の断面図を図示し、空気流量調節器１２０の側面部材の空気透過性材料１２４がオゾン低減デバイス１２６（又は、オゾン低減デバイスを１２６含む通路）と整列するように、空気流量調節器１２０は、装置２０の中に配設される。加えて、図９ａは、オゾン低減デバイス１２６を含まない通路１２８に整列した空気流量調節器１２０の側面部材の空気遮断性材料１２２を図示する。空気流量調節器１２０のそのような配列及び配置によって、空気流は、両側矢印線によって表されるように、オゾン低減デバイス１２６を通るように導かれる。
【００７１】
空気流量調節器１２０に結合されたアクチュエータの作動に際して（図７におけるブロック１１２、１１４、及び１１８を参照して説明されるシナリオの任意のシナリオのための、プログラム命令２８によるアクチュエータの作動に応じるように）、図９ｂに示されるように、空気流量調節器１２０の側面部材に沿う空気透過性材料１２４が通路１２８と整列するように、空気流量調節器１２０は移動する。加えて、空気流量調節器１２０の側面部材の空気遮断性材料１２２は、オゾン低減デバイス１２６（又は、オゾン低減デバイス１２６を含む通路）に整列する。その結果、装置を通る空気流は、図９ｂで両側矢印線によって表されるように、オゾン低減デバイス１２６を回避し、且つより高い濃度のオゾンが、装置の周囲に放出される。特に、通路１２８は、オゾン低減デバイスが無い、又はオゾン低減デバイス１２６よりも実質的に低い効率を有するオゾン低減デバイスを備える、のいずれかである。本明細書に記載の装置の幾つかにおいて、空気流量調節器１２０に結合されたアクチュエータは、装置から放出されるオゾン濃度の更なる制御を提供するために、空気透過性材料１２４を、オゾン低減デバイス１２６（又は、オゾン低減デバイス１２６を含む通路）及び通路１２８の両方に部分的に整列させるべく、作動させてもよい。幾つかの場合において、プログラム命令２８、又は空気流量調節器１２０に結合されたアクチュエータは、空気透過性材料１２４が、オゾン低減デバイス１２６（又はオゾン低減デバイス１２６を含む通路）及び通路１２８のいずれかに整列する割合を調節するように構成してもよい。
【００７２】
任意の場合において、オゾン低減デバイス１２６（又は、オゾン低減デバイス１２６を含む通路）及び通路１２８の配置は、逆にしてもよい（即ち、オゾン低減デバイス１２６（又は、オゾン低減デバイス１２６を含む通路）を、通路１２８の上方に代わりに配設してもよい）ことに留意されたい。空気流量調節器１２０及び炭素フィルタ境界通路１２８の表面に関連して、炭素フィルタがオゾン低減デバイスとして使用される実施形態において、付加的で任意選択的な特徴は、炭素フィルタの境界が、通路１２８を通過するオゾンがフィルタと相互作用するのを防ぐ材料によって、被覆されるようにすることである。本明細書に記載の装置に対して、炭素フィルタがオゾン低減デバイスとして考えられる実施形態において、図１０を参照して以下で説明される空気流量バルブ１３０に対する、空気流量調節器１２０の構成の利点は、空気流量調節器１２０の構成が、より大きな炭素フィルタを使用することを可能にし、これは、潜在的に炭素フィルタの寿命を増加させる、ということである。
【００７３】
本明細書に記載の装置として考えてもよい別の空気流量調節器が、図１０に描かれている。特に、図１０は、空気流量調節器１３０を図示し、該空気流量調節器１３０は、オゾン低減デバイス１３２（又は、オゾン低減デバイス１３２を含む通路）を通して空気を送る経路と、オゾン低減デバイス１３２を含まない通路１３４を通して空気を送る経路との交点に位置決めされる。一般に、通路１３４は、オゾン低減デバイスが無い、又はオゾン低減デバイス１３２よりも実質的に低い効率を有するオゾン低減デバイスを備える、のいずれかである。空気流量調節器１３０は、全ての空気が、オゾン低減デバイス１３２（又は、オゾン低減デバイス１３２を含む通路）を通って、又は所与の時間に通路１３４を通って、決まった経路で送られるように構成してもよい。更なる実施形態において、空気流量調節器１３０は、幾つかの場合において、所与の時間に、オゾン低減デバイス１３２（又はオゾン低減デバイス１３２を含む通路）及び通路１３４の両方を通って、空気を決まった経路で送るように構成してもよい。そのような場合の幾つかにおいて、空気流量調節器１３０は、装置から放出されるオゾン濃度の更なる制御を提供するために、オゾン低減デバイス１３２（又はオゾン低減デバイス１３２を含む通路）及び／又は通路１３４を通って、空気が決まった経路で送られる割合を調節するように、構成してもよい。
【００７４】
上で述べたように、本明細書で提示される装置は、装置の外部及び内部で異なる消毒モードを実施するための、特に装置の外部での部屋／エリアの消毒プロセス、及び装置の内部での物体及び／又は空気の消毒プロセスを実施するための構成を含む。装置間の共通性は、それらの装置が、移動可能な殺菌源及び／又は移動可能な遮蔽体と、殺菌源を動作させるべく電源回路を作動させるためのプログラム命令と、を含むということである。特に装置の内部及び外部で消毒プロセスを実施できるという上述の目的を達成するために、そのような特徴を備える多くの異なる構成が考えられ得る。そのため、本明細書に記載の装置は、図１における装置２０の構成に限定されない。以下でより詳細に説明されるように、図１１から図１３は、装置の内部及び外部で異なる消毒プロセスを実施するために構成された装置の、幾つかの代替的構成を図示する。しかしながら、図１を参照して説明された装置２０に関するように、図１１から図１３を参照して説明される装置は例であり、且つ他の幾つかの構成が考えられ得る。例えば、図１、及び図１１から図１３を参照して説明される装置から、異なる特徴をあわせたものが考えられ得る。
【００７５】
図１１から図１３を参照して説明される装置と、図１を参照して説明される装置２０との間の顕著な違いは、図１１から図１３の装置の遮蔽体がチャンバではない、ということである。むしろ、図１１から図１３の装置は、装置の殺菌源（複数可）をすっぽり包むべくチャンバを形成するための、装置の他の特徴によって構成される遮蔽体を含む。換言すれば、図１１から図１３の装置は、装置の殺菌源（複数可）に対して近接した状態になってもよい遮蔽体を含み（且つ／又は、殺菌源（複数可）は、遮蔽体に対して近接した状態になってもよい）、その結果として、殺菌源（複数可）から発射される殺菌剤は、実質的に装置の中に包含される。加えて、図１１から図１３の遮蔽体及び／又は殺菌源（複数可）は、互いに対して近接から外れた状態になってもよく、その結果として、殺菌源（複数可）から発射される殺菌剤は、装置の外に発射される。換言すれば、図１１から図１３の装置は、移動可能な遮蔽体及び／又は殺菌源（複数可）を含み、その結果として、殺菌源（複数可）は装置の周囲に晒されるが、これによって、事実上、殺菌源がすっぽり包まれる場合、遮蔽体及び装置の他の特徴によって形成されるチャンバを分解する。
【００７６】
任意の場合において、図１１から図１３を参照して説明される装置は、図１の装置２０を参照して説明される特徴の任意のものを含んでもよい。特に、図１１から図１３を参照して説明される装置、及びそれらの任意の変形例は、電源回路２６、プログラム命令２８、プロセッサ３０、ユーザインターフェース３２、遠隔ユーザインターフェース３４、基底部３６、センサ（複数可）３８、センサ（複数可）４８、支持部材４０、ポート４２及び７０、ドア７２及び７６、棚７４、かご、空気移動デバイス８０及び９４、空気入口、空気出口８２、密閉機構８４、周辺障壁９２、オゾン低減デバイス９６、突起９８、付加的な殺菌源９９、空気流量デバイス１２０及び１３０を含むと共に、図１の装置２０を参照して議論される、それらの任意の変形例を含んでもよい。そのような特徴は、図面を簡素化するために、図１１から図１３の装置には示されていない。更に、そのような特徴は、簡潔にするために、図１１から図１３を参照して説明されない。その上、図１１から図１３を参照して説明される装置、及びそれら装置の任意の変形例は、図２、図６及び図７を参照して説明される特定のプログラム命令の任意ものを含むと同時に、図２、図６及び図７を参照して説明される該プログラム命令の任意の変形例を含んでもよい。特定のプログラム命令は、簡潔にするために、図１１から図１３の装置に対して、繰り返し示していない。図１１から図１３を参照して説明される装置、及びそれら装置の任意の変形例に対する、なお更なる任意選択的な特徴には、（電動化された、又は電動化されていない）車輪及び／又は、装置の携帯性に影響を及ぼす取っ手が含まれる。
【００７７】
図１１を参照すると、装置１４０が示され、該装置１４０は、引っ込められる遮蔽体１４６を有する枠体１４４の中に配置された殺菌源１４２を含む。幾つかの場合において、装置１４０の裏面は、遮蔽体１４６と同様な、枠体１４４に結合された遮蔽体を含んでもよい。他の実施形態において、装置１４０の裏面は、装置１４０の裏面から殺菌剤が放出されるのを防止するために、枠体１４４の面積寸法で広がる裏面パネルを含んでもよい。任意の場合において、装置１４０は、壁又は天井の上に取り付け可能であってもよい。代わりに、装置１４０は、スタンドアロンデバイスであってもよい。一般に、遮蔽体１４６は装置１４０内で移動可能であり、これは、特に、枠体１４４の内部で実行される消毒プロセスを目的として、枠体１４４内で殺菌源１４２を取り囲むためであり、更には、枠体１４４の外部で実行される消毒プロセスを目的として、殺菌源１４２を装置１４０の周囲に晒すためである。図１１に示されるように、遮蔽体１４６は、幾つかの実施形態において、巻き軸式遮光体であってもよく、又はアコーディオン構成若しくは入れ子構成のような、他の幾つかの引っ込め可能な構成を有する。そのような場合において、遮蔽体１４６は、殺菌源１４２を露出させる窓の長さを横切る枠体１４４内の軌道に沿って移動してもよく、その結果として、遮蔽体１４６は、それが閉じられる場合、殺菌源１４２を取り囲むであろう。他の実施形態において、遮蔽体１４６は、１つ以上の蝶番ドア、滑りドア、又はクランプ式着脱可能なカバーを含んでもよい。任意の場合において、遮蔽体１４６は、手動で作動させてもよく、且つ／又は装置１４０は、遮蔽体１４６の移動を自動化するためのアクチュエータを含んでもよい。
【００７８】
装置１４０は、図１１に示された遮蔽体１４６の配置に限定されない、ことに留意されたい。特に、遮蔽体１４６は、枠体１４４の任意の縁に隣接して支持され、枠体１４４の頂部縁及び底部縁を含めた、枠体の反対側の縁へ延在してもよい。その上、枠体１４４の寸法及び形状は、図１１に描かれたものから変化してもよい。より具体的には、枠体１４４は、長方形であることに限定されず、且つ／又は図１１に描かれた比較的薄い側壁を有することに限定されない。更に、装置１４０の向きは、その長手方向の寸法が水平方向のものであることに限定されない。その上、装置１４０は、図１１に示された向きである複数の円筒状殺菌源を有することに限定されない。むしろ、装置１４０は、任意の数、形状、及び向きの殺菌源を含んでもよい。その上、殺菌源１４２は、同じタイプの殺菌源、又は異なるタイプの殺菌源を含んでもよい。幾つかの場合において、装置１４０は、殺菌源から発生される殺菌剤（複数可）を、装置の周囲へよりよく分布させるために、枠体１４４の外へ延在するべく、１つ以上の殺菌源１４２を移動させるように構成してもよい。そのような選択肢を提供するための構成例は、引っ込め可能な軌道を含んでもよく、該引っ込め可能な軌道は、殺菌源１４２と一直線になって枠体１４４から外へ延在し、該軌道に沿って、殺菌源を、手動で又はアクチュエータによって移動させてもよい。
【００７９】
更に、上で述べたように、装置１４０は、図１の装置２０を参照して説明される特徴の任意のものを含んでもよく、該任意のものは、空気移動デバイス、空気入口、空気出口、かご及び／又は棚を含むが、これらに限定されない。一般に、空気移動デバイス（複数可）、空気入口（複数可）、及び空気出口（複数可）は、枠体１４４及び／又は遮蔽体１４６の任意の側面内に配置してもよい。付加的に又は代替的に、空気移動デバイス（複数可）は、枠体１４４の外に配置してもよいが、しかし、特に、枠体内の空気入口（複数可）又は空気出口（複数可）と必ずしも一直線になっていない。任意の場合において、空気移動デバイス（複数可）は、枠体１４４が閉じられる場合、枠体１４４によって誘起される空気流の上流又は下流に配置してもよい。幾つかの場合において、装置１４０は、殺菌源１４２の少なくとも１つの一方の端部に配設された空気移動デバイスを含んでもよいが（且つ、幾つかの場合には、殺菌源１４２の各々の端部に配設された空気移動デバイスを含む）、これは、図５を参照して殺菌源９０に対して説明されたように、殺菌源の長手方向寸法に実質的に平行に流れる空気流を誘起するためである。他の場合において、装置１４０は、殺菌源１４２を横切る空気流を誘起するために配置された、空気移動デバイスを有してもよい。
【００８０】
図１２は、装置１４０と同様な消毒装置を図示するが、しかし遮蔽ドアの代わりに、枠入れされた殺菌源の２つの部分の間に蝶番を含むことで異なっている。特に、図１２は、殺菌源１５２を有する装置１５０を図示するが、殺菌源１５２は、蝶番１５６によって結合される、枠入れ部分１５４に配置される。一般に、枠入れ部分１５４の各々は、装置１５０の裏面からの、殺菌剤の放出を防止するために、それぞれの部分の面積寸法で広がる裏面パネルを含む。幾つかの場合において、枠入れ部分１５４の一方又は両方は、壁又は天井の上に取り付け可能である。代わりに、装置１５０は、スタンドアロンデバイスであってもよい。任意の場合において、枠入れ部分１５４の一方又は両方は、蝶番１５６の周りに枢動可能であり、その結果として、枠入れ部分１５４の先頭縁部１５８は、互いに接触してもよく、装置１５０の内部で実施される消毒プロセスのために殺菌源１５２を取り囲み、且つ、更には、枠入れ部分は係合が解かれ、枠入れ部分１５４の外部で実施される消毒プロセスのために、装置１５０の周囲に殺菌源１５２を晒す。このようにして、枠入れ部分１５４の一方又は両方は、殺菌源１５２の周りのチャンバを形成するための、装置１５０内で移動可能な遮蔽体として機能する。
【００８１】
一般に、枠入れ部分１５４は、装置１５０の設計仕様に依存して、蝶番１５６の周りに任意の回転度で枢動するように構成してもよい。例えば、幾つかの場合において、枠入れ部分１５４の一方又は両方は、先頭縁部１５８が、互いに対して最大１８０度の位置にあるように構成してもよい（即ち、枠入れ部分１５４が一直線に向けられる）。他の場合において、枠入れ部分１５４の一方又は両方は、枠入れ部分１５４の裏面パネルが、互いに接触するように構成してもよい。任意の場合において、装置１５０内に蝶番１５６を含むことによって、好ましくは、装置１５０の外部で実施される消毒プロセスのために、部屋／エリア内で選択的に殺菌剤を導くための方法が提供され得る。枠入れ部分１５４の一方又は両方は、手動で作動させてもよく、且つ／又は装置１５０は、枠入れ部分１５４の一方又は両方の移動を自動化するための、１つ以上のアクチュエータを含んでもよい。
【００８２】
図１１を参照して説明される装置１４０の枠１４４と同様に、枠入れ部分１５４の寸法及び形状は、図１２に描かれたものから変化してもよい。より具体的には、枠入れ部分１５４は、長方形であること、及び／又は図１２に描かれた、比較的薄い側壁を有することに限定されない。更に、装置１５０の向きは、枠入れ部分１５４が、互いから水平に変位することに限定されない（例えば、蝶番１５６が実質的に水平に配置された状態で、枠入れ部分１５４の一方を、他方の上方に配置してもよい）。その上、装置１５０は、枠入れ部分１５４の各々における複数の円筒状殺菌源が、図１２に示されたやり方の向きであることに限定されない。むしろ、装置１５０は、枠入れ部分１５４の各々において、任意の数、サイズ、形状、及び向きの殺菌源を含んでもよい。その上、殺菌源１５２は、枠入れ部分１５４の一方又は両方において、同じタイプの殺菌源、又は異なるタイプの殺菌源を含んでもよい。図１１を参照して説明される装置１４０と同様に、装置１５０は、殺菌源から発生される殺菌剤（複数可）の装置の周囲への分布を向上させるために、枠入れ部分１５４の外へ延在するべく、殺菌源１５２の１つ以上を移動させるように構成してもよい。そのような選択肢を提供するための構成例は、引っ込め可能な軌道を含んでもよく、該引っ込め可能な軌道は、殺菌源１５２と一直線になって枠入れ部分１５４から外へ延在し、該軌道に沿って、殺菌源を移動させてもよい。
【００８３】
更に、上で述べたように、装置１５０は、図１の装置２０を参照して説明される特徴の任意のものを含んでもよく、該任意のものは、空気移動デバイス、空気入口、空気出口、かご及び／又は棚を含むが、しかしこれらに限定されない。一般に、空気移動デバイス（複数可）、空気入口（複数可）、及び空気出口（複数可）は、枠入れ部分１５４の任意の側面内に配置してもよい。付加的に又は代替的に、空気移動デバイス（複数可）は、枠入れ部分１５４の内部に配置してもよいが、特に、枠内では空気入口（複数可）又は空気出口（複数可）と必ずしも一直線になっていない。図１１を参照して説明される装置１４０と同様に、空気移動デバイス（複数可）は、枠入れ部分１５４が閉じられる場合、枠入れ部分１５４によって誘起される空気流の上流又は下流に配置してもよい。幾つかの場合において、装置１５０は、殺菌源１５２の少なくとも１つの一方の端部に配設された空気移動デバイスを含んでもよいが（且つ、幾つかの場合において、殺菌源１５２の各々の端部に配設された空気移動デバイスを含む）、これは、図５を参照して殺菌源９０に対して説明されるように、殺菌源の長手方向寸法に実質的に平行に流れる空気流を誘起するためである。他の場合において、装置１５０は、殺菌源１５２を横切る空気流を誘起するために配置された、空気移動デバイスを有してもよい。
【００８４】
図１３は、装置の外部及び内部で異なる消毒モード、特に装置の外部での部屋／エリアの消毒プロセス、及び装置の内部での物体及び／又は空気の消毒プロセス、を実施するための装置の更に別の構成を図示する。特に、図１３は、上側基底部１６６及び下側基底部１６８の間の反射体１６４の周りに配置された殺菌源１６２を有する装置１６０を図示する。加えて、装置１６０は遮蔽体１６９を含み、該遮蔽体１６９は、装置１６０の内部で実施される消毒プロセスのために、殺菌源１６２を取り囲むべく、上側基底部１６６及び／又は下側基底部１６８に取り付けられると共に、殺菌源１６２の周りに巻き付くように構成される。反対に、上側基底部１６６及び／又は下側基底部１６８から遮蔽体１６９を取り外すことによって、装置１６０の外部で実施される消毒プロセスのために、殺菌源１６２が装置１６０の周囲に晒される。図示されてはいないが、遮蔽体１６９は、任意のタイプ及び任意の数の留め具を含んでもよく、該該留め具は、遮蔽体１６９を上側基底部１６６及び下側基底部１６８に取り付けるため、及び殺菌源１６２の周りで、遮蔽体の開放端を閉じるためのものである。幾つかの場合において、留め具（複数可）は、素早い解放構成を有してもよいが、これは、ユーザが、留め具を容易且つ迅速に接続すると共に接続解除を補助するためである。幾つかの実施形態において、上側基底部１６６及び下側基底部１６８に遮蔽体を取り付けるのを容易にするために、遮蔽体１６９は、比較的に軽量の材料から成ってもよい。加えて、遮蔽体１６８は、幾つかの場合において、頑丈であるが、しかし比較的に曲げやすい材料を含んでもよく、且つ／又は、殺菌源１６２の周りに遮蔽体を巻き付けるのを助けるための、屈曲可能な界面と接合される複数の部分を含んでもよい。
【００８５】
遮蔽体１６９は任意の形状を含んでもよく、具体的には、遮蔽体１６９は任意の多面体形状を含んでもよく、又は遮蔽体１６９は円形であってもよい、ことに留意されたい。加えて、遮蔽体１６９は、図１３に描かれるように、単一の隣接する部品であるというよりも、一緒に結合された任意の数の個々の部分を含んでもよい。更に、遮蔽体１６９は、上側基底部１６６及び／又は下側基底部１６８から完全に取り外し可能である必要はない。むしろ、遮蔽体１６９は、上側基底部１６６及び／又は下側基底部１６８の上の１つ以上の位置にしっかりと取り付けてもよく、遮蔽体が殺菌ランプ１６２を取り囲んでいない場合に、自身が占める面積を最小化するために、遮蔽体１６９は、それ自体が折りたたみ可能、及び／又は引っ込め可能であってもよい。例えば、遮蔽体１６９は、巻き軸式遮光体であってもよく、又はアコーディオン構成若しくは入れ子構成のような、他の幾つかの引っ込め可能な構成を有してもよい。任意の場合において、装置１６０を構成する部品の寸法及び形状は、図１３に描かれたものから変化してもよい。例えば、装置１６０は、図１３に示された向きである複数の円筒状殺菌源を有する限定されない。むしろ、装置１６０は、任意の数、形状、及び向きの殺菌源を含んでもよい。装置１６０が複数の殺菌源を含む場合には、殺菌源１６２は、同じタイプの殺菌源、又は異なるタイプの殺菌源を含んでもよい。加えて、反射体１６４、上側基底部１６６及び下側基底部１６８は、図１３に描かれた構成及び相対的寸法に限定されない。例えば、反射体１６４は、砂時計形状を有する必要はなく、幾つかの場合において、反射体１６４は、装置１６０から省いてもよい。更に、装置１６０は、下側基底部１６８の底部に結合された車輪を有することに限定されない。特に、装置１６０は、代わりに、静止デバイスであってもよい。
【００８６】
更に、上で述べたように、装置１６０は、図１の装置２０を参照して説明されるような特徴の任意のものを含んでもよく、該任意のものとは、空気移動デバイス、空気入口、空気出口、かご、及び／又は棚を含むが、しかしこれらに限定されない。一般に、空気移動デバイス（複数可）、空気入口（複数可）、空気出口（複数可）は、遮蔽体１６９、上側基底部１６６及び／又は下側基底部１６８の中に配置してもよい。付加的に又は代替的に、空気移動デバイス（複数可）は、反射体１６４内に、又は反射体１６４、遮蔽体１６９、上側基底部１６６及び／又は下側基底部１６８の表面上に、配置してもよい。任意の場合において、空気移動デバイス（複数可）は、遮蔽体１６９が閉じられた場合、遮蔽体１６９によって誘起される空気流の上流又は下流に配置してもよい。幾つかの場合において、装置１６０は、殺菌源１６２の少なくとも１つの一方の端部に配設される空気移動デバイス（及び、幾つかの場合において、殺菌源１６２の各々の端部に配設される空気移動デバイス）を含んでもよいが、これは、図５を参照して殺菌源９０に対して説明されるように、殺菌源の長手方向寸法に実質的に平行に流れる空気流を誘起するためである。他の場合において、装置１６０は、殺菌源１６２を横切る空気流を誘起するために配置された空気移動デバイスを有してもよい。
【００８７】
本明細書で提示される装置の部品を動作させるためのプログラム命令２８のいくつかの例は、図２、図６及び図７を参照して説明される。付加的な又は代替的なプログラム命令、特にプログラム命令の流れは、本明細書で考えられる装置の任意のもの（即ち、内部及び外部の消毒プロセスを実施するための構成を有する装置）に対して考えてもよいものであるが、該プログラム命令の流れは、図１４から図１７におけるフローチャートに示されている。図１４から図１７を参照して説明されるプロセスは、それらの図に描かれたプログラム命令の流れに対して、必ずしも相互に排他的ではない、ことに留意されたい。更に、図２、図６及び図７を参照して説明されるプログラム命令の任意のものは、互いに関連して、又は図１４から図１７のフローチャートに含まれるプログラム命令の任意のものに関連して、使用してもよい。
【００８８】
図１４は、ブロック１７０を含むフローチャートを図示するが、ブロック１７０では、消毒装置の動作を開始させるために、電子的ユーザインターフェースから、入力が受け取られる。そのような入力を受け取るに際して、殺菌源が装置のチャンバの中にすっぽり包まれるかどうかについての判定が、ブロック１７２で行われる。代わりに、殺菌源がチャンバの外部にあるかどうか（及び／又は殺菌源が、装置の遮蔽体に近接して配置されるかどうか）について、判定が行われてもよい。いずれの場合においても、ブロック１７２での肯定的な判定に際して、ブロック１７４及びブロック１７６に表されるような１つ又は２つの方法で、装置の電源回路を作動させてもよい。更に、ブロック１７２での状態が正しくないことを判定するに際して、ブロック１７８及びブロック１７７に表されるような１つ又は２つの方法で、装置の電源回路を作動させてもよく、これらの方法の各々は、それぞれ異なるが、しかしブロック１７４及びブロック１７６で定められた命令と、依然として相互に関連している。
【００８９】
特に、装置が複数の消毒源を含む実施形態において、ブロック１７２での肯定的な判定に際して、ブロック１７４で表されるような消毒プロセスに対して、サブセットの消毒源を選択的に動作させるために、装置の電源回路を作動させてもよい。反対に、ブロック１７２で定められた状態が正しくないことを判定するに際して、ブロック１７８で表されるような消毒プロセスに対して、異なるサブセットの消毒源を選択的に動作させるために、同じ装置の電源回路を作動させてもよい。幾つかの場合において、ブロック１７４で作動される複数の殺菌源のサブセットは、ブロック１７８で作動されるサブセットの殺菌源の少なくとも１つとは異なる殺菌剤を発生させる、少なくとも１つの殺菌源を含んでもよい。付加的な又は代替的な実施形態において、ブロック１７４で作動されるサブセットの殺菌源は、ブロック１７８で作動されるサブセットの殺菌源の少なくとも１つとは異なる方法で、自身の殺菌剤を発生させる、少なくとも１つの殺菌源を含んでもよい。例えば、ブロック１７４で作動されるサブセットの殺菌源は、発光ダイオードランプ（複数可）を含んでもよく、且つブロック１７８で作動されるサブセットの殺菌源は、放電ランプを含んでもよい。又は、これの逆も成り立つ。
【００９０】
ブロック１７４及び１７８で描かれるプロセスに対して作動されるサブセットの殺菌源の各々が殺菌ランプを含む、更なる他の実施形態において、殺菌ランプは、それらが発生させる光の光学特性が異なっていてもよい。例えば、ブロック１７４で作動されるサブセットの殺菌源は、水銀放電ランプ（複数可）を含んでもよく、且つブロック１７８で作動されるサブセットの殺菌源は、キセノン放電ランプ（複数可）を含んでもよい。又は、これの逆も成り立つ。同様に、異なるサブセットの殺菌源の１つ以上の間で、サイズ、形状、及び殺菌源分散の強度などの他の変形例を考えてもよいが、これらに限定されない。任意の場合において、ブロック１７４及びブロック１７８に関して作動される異なるサブセットの殺菌源間での変形例のタイプに関係なく、幾つかの実施形態において、１つのサブセットの各殺菌源は、他のサブセットの殺菌源の全てと異なってもよい。更に他の場合において、異なるサブセットの殺菌源のタイプ及び構成は、変化しなくてもよい。任意の場合において、本明細書で使用される用語「サブセット」は、グループの全ての要素よりも少ない、グループの任意の数の要素（即ち、１つ以上）を指す。
【００９１】
ブロック１７２において、装置内の殺菌ランプの相対的位置の判定に際して、装置の電源回路を作動させるための別の選択肢は、ブロック１７６及びブロック１７７で定められるような、装置に対する異なる動作パラメータに従って、電源回路を作動させることである。特に、ブロック１７２での肯定的な判定に際して、装置の電源回路は、ブロック１７６に表されるような、装置に対する動作パラメータの所定のセットに従って、作動させてもよい。加えて、ブロック１７２で定められた条件が正しくないことを判定するに際して、ブロック１７７に表されるような、装置に対する動作パラメータの異なる所定のセットに従って、同じ装置の電源回路を作動させてもよい。そのようなプロセスは、ブロック１７４及びブロック１７８で定められたプロセスに加えて、又は該プロセスの代わりに、実施してもよい。更に、ブロック１７６及びブロック１７７のプロセスは、単一の殺菌源又は複数の殺菌源を有する装置において、実施してもよい。
【００９２】
任意の場合において、ブロック１７４及びブロック１７８で参照される所定の動作パラメータの異なるセットは、任意の数の異なる動作パラメータを含んでもよく、且つ図２、図６及び図７を参照して上で説明された動作パラメータの変形例の任意のものを含んでもよい。該変形例は、異なる量の電力を殺菌源（複数可）に印加すること、異なる持続期間に対して電力を殺菌源（複数可）に印加すること、異なる周波数でトリガ電圧を印加すること、異なる速度を動作させるためにファンを作動させること、及び異なる通路を通して空気を決まった経路で送るための空気流量調節器を制御することを含むが、しかしこれらに限定されない。更に他の実施形態において、動作パラメータのセットの１つは、特定の変数に対するパラメータ（限定されるものではないが、ファン速度のような）を含んでもよく、且つ動作パラメータの他のセットは、その変数に対する命令が無くてもよい。そのようなシナリオは、部品が、特定の消毒モードに対して使用されるが、しかし他の消毒モードに対して使用されない場合に、有利であろう。
【００９３】
図１５を参照すると、本明細書に記載の装置の任意のものによって実施してもよいプロセスの、別のフローチャートが示されている。特に、図１５はブロック１８０を示し、ブロック１８０では、選択された消毒モードに関する、特に消毒装置のユーザインターフェースからの入力が、受け取られる。一般に、入力は、主に装置の内部の媒質を消毒するための消毒モード、又は主に装置の外部の媒質を消毒するための消毒モードの、いずれかを指示するものであってもよい。幾つかの実施形態において、入力は、消毒されるべき媒質に対して、より特有のものであってもよい。例えば、入力は、主に装置の内部の空気を消毒するための消毒モード、又は主に部屋／エリアを消毒するための消毒モードの、いずれかを指示するものであってもよい。他の実施形態において、入力は、主に装置の内部の物体を消毒するための消毒モード、又は主に部屋／エリアを消毒するための消毒モードの、いずれかを指示するものであってもよい。更に他の実施形態において、入力は、２つの消毒モード以外の、より多くの消毒モードから選択された消毒モードを指示するものであってもよい。例えば、入力は、主に装置の内部の空気を消毒するための消毒モード、主に装置の内部の物体を消毒するための消毒モード、又は主に部屋／エリアを消毒するための消毒モードを指示するものであってもよい。任意の場合において、消毒装置のユーザインターフェースは、装置によって提供される異なる消毒モードの選択を可能にする、任意の数及びタイプの入力制御器を含んでもよい。例えば、入力制御器は、接触接点（例えば、ボタン又はタッチスクリーンで作動されるパッド）であってもよく、又は聴覚制御されてもよい。更に、装置によって提供される異なるモードの選択肢を、英数字、数字、及び／又は絵を含む当技術で既知の任意の方法でユーザに表示してもよいが、これらに限定されない。
【００９４】
幾つかの実施形態において、選択された消毒モードに関する入力を受け取るに際して、ブロック１８１に示されるように、選択された消毒モードが、主に装置の内部の媒質を消毒するためのものであるかどうかについて、判定が行われる。別の実施形態において、選択された消毒モードが、主に装置の外部の媒質を消毒するためのものであるかどうかについて、判定が行われてもよい。そのような後者の場合、肯定的な判定及び正しくない判定に続くプロセスが、図１５で示されることに対して、くつがえされるであろうということは、当業者にとって明らかであろう。更に他の場合において、ブロック１８１のプロセスは省略してもよく、且つ主に装置の内部及び外部の媒質を消毒するための選択された消毒モードに関する入力は、それぞれブロック１８２及びブロック１９２へ自動的に続くであろう。任意の場合において、ブロック１８２及び１９２では、装置の殺菌源が装置のチャンバの中にすっぽり包まれるかどうかについて、判定が行われる。代わりに、殺菌源が装置の周囲に晒されるかどうかについて、判定が行われてもよい。そのような後者の場合において、肯定的な判定及び正しくない判定に続くプロセスが、図１５で示されることに対して、くつがえされるであろうということは、当業者にとって明らかであろう。
【００９５】
図１５に示されるように、もし殺菌源が装置のチャンバ内にすっぽり包まれないという判定がブロック１８２で行われる場合、装置の殺菌源及び／又は遮蔽体を移動させるための訂正アクションを作動させてもよく、その結果として、ブロック１８４に表されるように、殺菌源はチャンバの中にすっぽり包まれる。幾つかの実施形態において、訂正アクションは、（装置上のユーザインターフェースを介して、又はリモートユーザインターフェースを介して）適切な部品を移動させるための、装置のユーザに対する通知であってもよい。通知は、視覚ディスプレイ又は聴覚音声／命令を含む当技術で既知の任意の形態であってもよい。他の実施形態において、訂正アクションは、自身の中に殺菌源を有するチャンバを形成するための、殺菌源及び／又は遮蔽体の自動化された移動であってもよい。そのような場合において、訂正アクションは、殺菌源及び／又は遮蔽体に結合されたアクチュエータを作動させて、殺菌源及び遮蔽体の移動に影響を及ぼすことであってもよい。
【００９６】
任意の場合において、自身の中に殺菌源がすっぽり包まれるチャンバを形成するために、殺菌源及び／又は遮蔽体が移動するに際して（自動化された移動によって、又は部品（複数可）が移動したという確認信号を受けて手動で移動させることによって）、ブロック１８６及びブロック１８８に表されるプロセスの１つ又は２つを実施してもよい。ブロック１８６及びブロック１８８に表されるプロセスは、図１４のブロック１７４及びブロック１７６に表されるプロセスと同じである。図１４を参照した、そのようなプロセスの説明は、ブロック１８６及びブロック１８８に対しても参照され、簡潔にするために、繰り返して示さない。幾つかの場合において、保証の目的で、殺菌源及び／又は遮蔽体が、チャンバを形成するために移動した後に、ブロック１８２において殺菌源がチャンバの中にすっぽり包まれるかどうかについて、ブロック１８４で作動された訂正アクションを参照して、判定を行ってもよい。そのような場合において、ブロック１８２での肯定的な判定に際して、ブロック１８６及びブロック１８８に表されるプロセスの一方又は両方を実施してもよい。
【００９７】
ブロック１９２を参照すると、もし殺菌源が装置のチャンバ内にすっぽり包まれるという判定が行われる場合、装置の殺菌源及び／又は遮蔽体を移動させるための訂正アクションが作動され、その結果として、ブロック１９４に表されるように、殺菌源が装置の周囲に晒される。ブロック１８４を参照して議論された訂正アクションと同様に、訂正アクションは、適切な部品を移動させるための、例えば（装置上のユーザインターフェースによる、又は遠隔ユーザインターフェースによるような）装置のユーザへの通知であってもよい。他の実施形態において、訂正アクションは、自身の中に殺菌源を有するチャンバを形成するための、殺菌源及び／又は遮蔽体の自動化された移動であってもよい。任意の場合において、（自動化された移動によって、又は部品（複数可）が移動したという確認信号を受けて手動で移動させることによって）殺菌源が装置の周囲に晒されるように、殺菌源及び／又は遮蔽体が移動するに際して、ブロック１９６及び１９８で表されるプロセスの１つ又は２つを実施してもよい。ブロック１９６及びブロック１９８に表されるプロセスは、図１４のブロック１７７及びブロック１７８に表されたものと同じプロセスである。図１４を参照した、そのようなプロセスの説明は、ブロック１９６及びブロック１９８に対しても参照され、且つ簡潔にするために、繰り返さない。幾つかの場合において、保証の目的で、殺菌源及び／又は遮蔽体が、殺菌源を装置の周囲に晒すために移動した後、ブロック１９２において殺菌源がチャンバの中にすっぽり包まれるかどうかについて、ブロック１９４で作動された訂正アクションを参照して、判定を行ってもよい。そのような場合において、殺菌源がチャンバ内にすっぽり包まれないという判定に際して、ブロック１９６及びブロック１９８に表されるプロセスの一方又は両方を実施してもよい。
【００９８】
幾つかの場合において、装置は、部屋又はエリアにおいて運動及び／又は占有が検出されるかどうかに基づいて、消毒モード間で切り替わってもよい。図１６及び図１７は、そのような目的を容易にするプロセスのフローチャートを図示する。特に、図１６はブロック２００を示し、ブロック２００では、殺菌源が装置の外に延在する場合に、運動センサ及び／又は占有センサが、動作するべく作動される。作動は、一般に、殺菌源が動作するべく作動される前に、実施してもよい。ブロック２０２では、所定の持続期間中に、運動又は占有が検出されるかどうかについて、判定が行われる。ブロック２０４によって示されるように、もし運動又は占有が検出される場合、殺菌源の動作は禁止される。逆に、もし運動又は占有が、所定の時間中に検出されない場合、ブロック２０６に表されるように、装置の電源回路は、殺菌源を動作させるべく作動される。
【００９９】
殺菌源の動作を開始するのに続いて、ブロック２０８では、運動又は占有が所定の持続期間中に検出されるかどうかについて、判定が行われる。もし運動又は占有が所定の時間中に検出されない場合、ブロック２０６において、電源回路は、部屋／エリア消毒プロセスのために、殺菌源への電力供給を続け、且つ、ブロック２０８において、運動及び／又は占有は、監視され続ける。運動又は占有が検出される場合、ブロック２１０に表されるように、殺菌源の動作は終了する。ブロック２１０を参照して、殺菌源の動作が終了するのに際して、又は、ブロック２０４を参照して、殺菌源の動作が禁止されるのに際して、殺菌源に結合されたアクチュエータが作動され、且つ／又は装置の遮蔽体に結合されたアクチュエータが、結合された部品（複数可）を位置調節するために作動され、その結果として、ブロック２１２に表されるように、殺菌源は、装置のチャンバの中に包含される。それに続いて、ブロック２１４に表されるように、装置の内部で実施される消毒プロセスのために、装置の電源回路を、殺菌源を動作させるべく、作動させてもよい。
【０１００】
運動及び／又は占有が、部屋又はエリアにおいて検出されるかどうかに基づいて、装置が消毒モード間で切り替わることを誘発し得る代替的セットのプロセスが、図１７に図示される。特に、図１７はブロック２２０を示し、ブロック２２０では、殺菌源が装置内にすっぽり包まれる場合に、消毒装置の電源回路は、装置の殺菌源を動作させるべく、作動される。ブロック２２２は、運動センサ及び／又は占有センサが、ブロック２２０に続いて動作するべく、作動されることを示すが、しかし、ブロック２２０及びブロック２２２の順序は逆にしてもよい、ことに留意されたい。特に、運動センサ及び／又は占有センサが作動されるのに続いて、装置の電源回路は、殺菌源を動作させるべく、作動させてもよい。他の実施形態において、殺菌源と運動センサ及び／又は占有センサとは、同時に動作するべく、作動させてもよい。
【０１０１】
任意の場合において、ブロック２２４に表されるように、運動又は占有が、所定の持続期間中に検出されたかどうかについて、判定が行われる。運動又は占有が検出された場合には、ブロック２２０に対する内部消毒プロセスのために、電源回路は殺菌源への電力供給を続け、且つ、ブロック２２２に対して、運動及び／又は占有が監視され続ける。予め設定された持続期間中に移動及び／又は占有を検出しないことに際して、殺菌源に結合されたアクチュエータが作動され、且つ／又は装置の遮蔽体に結合されたアクチュエータは、上述の部品（複数可）を位置調節するべく作動され、ブロック２２６に表されるように、殺菌源は、装置の周囲に晒される。幾つかの場合において、殺菌源及び／又は遮蔽体が移動している間、殺菌源の動作は続いてもよい。更に他の実施形態において、予め設定された持続期間中に、移動及び／又は占有を検出しないことに際して、殺菌源の動作は、終結させてもよく、且つ、その後、一旦アクチュエータ（複数可）が適切な部品（複数可）を移動させた場合には、再作動させてもよい。
【０１０２】
この開示の利益を有する当業者にとっては正しく認識されることであろうが、この発明は、装置の内部及び装置の外部の表面、物体、及び／又は空気を消毒するために使用される装置を提供する、と考えられる。本発明の様々な態様の、更なる変更及び代替的実施形態は、この説明を考慮すれば、当業者にとって明らかであろう。例えば、上述の目的を達成するために、装置の幾つかの構成が本明細書に記載されるが、しかし本明細書で考えられる装置は、そのような構成に必ずしも限定されない。上述の目的を達成するために、他の幾つかの構成が考えられ得る。従って、この説明は、単に例証的と解釈されるべきであり、且つ発明を実行する一般的な方法を、当業者に教示することを目的としたものである。理解されるべきことであるが、本明細書で示され且つ説明された本発明の形態は、現在のところ好ましい実施形態であると受け取られるべきである。要素及び材料は、本明細書で図示され且つ説明されたものと取り替えてもよく、部分及びプロセスは逆にしてもよく、且つ本発明のある特徴は、独立に利用してもよく、これら全てのことは、本発明のこの説明の利益を有する当業者にとって明らかであろう。
以下の請求項で説明されるように、本発明の趣旨及び範囲から外れることなく、本明細書で説明された要素において、変更が行われてもよい。本明細書で使用される用語「おおよそ」は、述べられた数の±５％までの変動を指す。
【図１】
0006538888.tif 000002
【図２】
0006538888.tif 000003
【図３】
0006538888.tif 000004
【図４】
0006538888.tif 000005
【図５】
0006538888.tif 000006
【図６】
0006538888.tif 000007
【図７】
0006538888.tif 000008
【図８】
0006538888.tif 000009
【図９ａ】
0006538888.tif 000010
【図９ｂ】
0006538888.tif 000011
【図１０】
0006538888.tif 000012
【図１１】
0006538888.tif 000013
【図１２】
0006538888.tif 000014
【図１３】
0006538888.tif 000015
【図１４】
0006538888.tif 000016
【図１５】
0006538888.tif 000017
【図１６】
0006538888.tif 000018
【図１７】
0006538888.tif 000019